(57)【特許請求の範囲】
【請求項１】
２つの接合対象物（１，２）である半導体素子（１）と回路形成体（２）とを加圧および上記回路形成体の表面沿いに横方向に相対移動させて、金属接合部としての上記半導体素子の複数の金属バンプ（３）と上記回路形成体の複数の金属電極部（４）同士をそれぞれ摩擦させることにより、上記金属接合部同士を摩擦接合するのに、摩擦接合動作を途中で、上記相対移動又は上記加圧を休止し、または、上記相対移動及び上記加圧の一方もしくは双方の度合を軽減し、または、上記相対移動及び上記加圧の両方を休止することにより、上記金属バンプを潰して上記金属バンプの高さを揃え、
軽減または休止の後、継続して上記摩擦接合動作を行う摩擦接合方法。
【請求項２】
上記２つの接合対象物のうちの一方の接合対象物である上記半導体素子（１）を保持ツール（１１，１１１）により保持して上記接合対象物同士を互いの金属接合部同士を対向させた状態で、上記２つの接合対象物のうちの他方の接合対象物である上記回路形成体（２）に対し加圧および相対移動させて、互いの金属接合部同士を摩擦させることにより、上記金属接合部同士を摩擦接合するのに、上記摩擦接合動作を途中で、上記相対移動又は上記加圧を休止し、または、上記相対移動及び上記加圧の一方もしくは双方の度合を軽減し、または、上記相対移動及び上記加圧の両方を休止し、
軽減または休止の後、継続して上記摩擦接合動作を行う請求項１に記載の摩擦接合方法。
【請求項３】
上記相対移動は、上記２つの接合対象物のうちの一方の接合対象物である上記半導体素子（１）を超音波振動させることにより行う請求項１又は２に記載の摩擦接合方法。
【請求項４】
上記軽減または休止前の初期摩擦接合の動作は、上記接合対象物同士の距離を制御し、上記軽減または休止後に継続して行う上記摩擦接合動作は、上記接合対象物同士の上記加圧を制御して行う請求項１〜３のいずれか１つに記載の摩擦接合方法。
【請求項５】
上記軽減または休止前の初期摩擦接合の動作は、上記接合対象物同士の上記加圧を制御し、上記軽減または休止後に継続して行う上記摩擦接合動作は、上記接合対象物同士の距離を制御して行う請求項１〜３のいずれか１つに記載の摩擦接合方法。
【請求項６】
上記２つの接合対象物のうちの一方の接合対象物（１）を保持ツール（１１，１１１）により保持して上記接合対象物同士を互いの金属接合部同士を対向させた状態で、上記２つの接合対象物のうちの他方の接合対象物（２）に対し加圧および相対移動させて、互いの金属接合部同士を摩擦させることにより、上記金属接合部同士を摩擦接合するのに、上記摩擦接合動作を途中で一時軽減または休止するとともに、上記超音波振動により摩擦接合するのに、上記軽減または休止前の初期摩擦接合の動作において上記保持ツールに取り付けられた発振器（２３）に連結された超音波ホーン（７１）のインピーダンスをモニタし、モニタされたインピーダンスに応じて、上記軽減または休止後に継続して行う上記摩擦接合動作を制御する請求項３に記載の摩擦接合方法。
【請求項７】
２つの接合対象物（１，２）である半導体素子（１）を吸着ツールで保持するとともに回路形成体（２）を保持し、上記半導体素子と上記回路形成体とをそれぞれ保持して互いの複数の金属接合部である金属バンプと金属電極部（３，４）がそれぞれ対向し合うように位置決めする２つの接合物取り扱い装置（２１，２２）と、
上記２つの接合物取り扱い装置が保持している各接合対象物を上記回路形成体の表面沿いに横方向に相対移動させることにより、上記２つの接合対象物の上記対向し合う複数の金属バンプと金属電極部同士をそれぞれ摩擦接触させる相対移動装置（２３）と、
各接合物取り扱い装置による上記接合対象物の保持および位置決めと、上記相対移動装置による各接合物取り扱い装置の相対移動を制御して、各接合物取り扱い装置が保持した上記接合対象物の上記複数の金属バンプと金属電極部同士をそれぞれ対向させるとともに、上記相対移動により摩擦接触させてそれぞれ金属接合する制御装置（２４）とを備え、
上記制御装置は、上記摩擦接合動作を途中で、上記相対移動又は上記加圧を休止し、または、上記相対移動及び上記加圧の一方もしくは双方の度合を軽減し、または、上記相対移動及び上記加圧の両方を休止することにより、上記金属バンプを潰して上記金属バンプの高さを揃え、軽減または休止の後、継続して上記摩擦接合動作を行う摩擦接合装置。
【請求項８】
上記相対移動装置による各接合物取り扱い装置の一方の移動は超音波振動である請求項７に記載の摩擦接合装置。
【請求項９】
上記２つの接合物取り扱い装置のうちの一方の接合物取り扱い装置により、上記２つの接合対象物（１，２）のうちの一方の接合対象物が取り扱われ、上記一方の接合対象物は、枠部（２ｄ）と、この枠部から枠部内に延びて上記枠部に対し傾斜した傾斜部（２ｆ）に上記金属接合部（４）を持った接合対象物（２）であり、
上記一方の接合物取り扱い装置は、上記一方の接合対象物の上記枠部を位置決め保持する位置決め部（２６）を有し、
上記位置決め部は、上記一方の接合対象物の上記枠部をその搬送面沿いに保持案内して上記一方の接合対象物の搬入および搬出を図る搬出搬入位置と、上記枠部を保持し位置決めした上記一方の接合対象物の上記傾斜部が上記搬送面沿いとなるように傾き、上記傾斜部に有する上記金属接合部を金属接合に供する接合位置とに移動でき、
上記一方の接合物取り扱い装置は、さらに、上記位置決め部を上記搬出搬入位置と上記接合位置とに移動させるように切り換える位置切り換え装置（４２）と、
上記位置決め部が上記接合位置に切り換えられたとき上記位置決め部が位置決めしている上記一方の接合対象物の上記傾斜部を下方から支持するようにバックアップするバックアップ部（４３）とを備え、
上記制御装置は、上記一方の接合対象物の搬入、搬出、位置決め、接合の動作に応じて、上記位置切り換え装置を制御して上記位置決め部を上記搬出搬入位置と上記接合位置とに切り換える請求項７又は８に記載の摩擦接合装置。
【発明の詳細な説明】
【０００１】
（技術分野）
本発明は、摩擦接合方法と装置に関し、接合対象物同士を金属接合する場合、例えば、回路基板や磁気読み取り用のサスペンションヘッドの基材に金属接合を伴い半導体素子などの電子部品を装着して電子回路基板やサスペンションヘッドを製造するような場合に好適な、摩擦接合方法と装置に関するものである。
【０００２】
（背景技術）
例えば、電子回路基板は電子機器の多機能化、電子部品の多部品化が進むなか、電子部品の超小型化、高密度装着の傾向が増し、半導体ウエハに形成した電極に金属バンプを設け、この金属バンプと回路基板に形成している配線パターンとを金属接合して電子部品を実装するフリップチップ実装技術も、電子回路基板を製造するのに採用されている。これにより、電子部品および接続経路の短小化、微小化、実装の高密度化に容易に対応できる。
【０００３】
ところで、金属接合は、代表的には超音波振動を利用した摩擦接合によって達成されている。もっともこれに限らず、相対移動による摩擦接触一般によっても達成することができる。
【０００４】
しかし、微小な金属接合部同士の摩擦接触による金属接合には、加圧と振動的な相対移動による比較的強い摩擦接触を必要とするが、半導体素子が微小になるほどそれに形成される金属バンプは極く小さなものになるし、これと金属接合する回路パターンの電極や配線部分も細くなるので、ややもすると摩擦接触が過剰となって金属バンプや回路パターンにダメージを与えたり、金属バンプが潰れすぎて緻密な回路パターンに跨って短絡させたり、金属バンプの過剰な潰れが回路基板と半導体素子との隙間が過小になって封止剤が入らずシール不良になるといったことが生じやすい。一方、これを回避するのに摩擦接触を軽微にすると、金属接合が十分でなく接合したはずの半導体素子が後に脱落して電子回路基板を不良品にしたり、早期故障の原因になったりする。
【０００５】
最近、図１５に示すような磁気ディスク４００ａの読取りを行うのに薄い板ばねよりなるサスペンションヘッド４００ｂを用いる技術が知られている。サスペンションヘッド４００ｂは基部を回転軸４００ｃにより回動できるように支持され、先端部の読取り部４００ｄが磁気ディスク４００ａを半径方向に円弧を描いて走査するのと、磁気ディスク４００ａが回転軸４００ｅを中心に回動されることとによって読取りを行う。サスペンションヘッド４００ｂの読取り部４００ｄは多数のセンシング端子が配列され、それらセンシング端子からサスペンションヘッド４００ｂの基部側に延びる配線上に、読み取り用の半導体素子４００ｆが接合される。
【０００６】
半導体素子４００ｆは、サスペンションヘッド４００ｂの比較的幅が広く配線間隔が大きくなる基部側に接合し、配線パターンとはボンディングしたワイヤ４００ｇによって結線している。
【０００７】
しかし、読取り速度の高速化の一途をたどる中、読取り用の半導体素子４００ｆをサスペンションヘッド４００ｂの先端部の読取り部４００ｄに近い位置に接合することが望まれているが、サスペンションヘッド４００ｂの先端部は細く配線間隔が微小であるので、ワイヤボンディング法での結線によっては接合しにくい。これを、金属バンプ付き半導体素子４００ｆの金属接合に切り換えて対処しようとすると、場合により半導体素子４００ｆは２ｍｍ角以下の微小なものが必要になり、接合には０．３μ以下の位置精度が必要である。また、摩擦接合に当たって半導体素子４００ｆにそれを吸着保持した吸着ツールを通じて超音波振動を与える際に半導体素子４００ｆからシリコン粉が発生するなどして異物がサスペンションヘッド４００ｂの読取り部や配線に付着するとそれの読取り特性を損なうことが多々あり、歩留まりが低下する。
【０００８】
このような異物は、シリコン半導体素子の場合に限らず、ＧａＳｉ半導体素子の場合にも同様に発生する。また、ＳＡＷ（Surface  Acoustic  Wave）素子に用いられるＬｉＴａ、ＬｉＮｂなどでも同じであり、水晶の場合にも発生する。これらから発生する異物は半導体素子４００ｆ自体の背面の削れや傷、欠けを意味し、背面の荒れ、汚れにつながりそれだけでも接合後の品質の低下となる。しかも、吸着ツールによる接合の繰り返し回数が増大するにつれ、それらの異物は吸着ツールの吸着面に付着して徐々に堆積し、これがまた接合する半導体素子４００ｆの背面をさらに荒れさせる原因になり、半導体素子４００ｆの品質の低下を助長する上、電極を含めた欠けや割れが発生しやすくなるので歩留まりがさらに低下する。
【０００９】
これに対処するのに、超音波出力が通常１Ｗのところを０．１Ｗに低下させたり、超音波による摩擦接合時間が通常０．５ｓｅｃのところを０．１ｓｅｃに短くしたりするが、接合不良の原因になりやすい。吸着ツールの吸着面を定期的に研磨しクリーニングすることも行っているが、余分な作業が要るため生産性の低下につながるし、吸着ツールは研磨による減りのために寿命が短くなる問題もある。
【００１０】
一方、サスペンションヘッド４００ｂに半導体素子４００ｆを接合するのに、サスペンションヘッド４００ｂが枠部から枠部内に多数並んで一体に延び、全体を１つの板状部材として取り扱えるようされるので、電子部品を接合する回路基板に類した取り扱いができる。
【００１１】
しかし、各サスペンションヘッド４００ｂは枠部に基部が細い２本の連絡部で連絡されているだけで、本発明者等の実験によると薄く変形しやすいし、少しでも変形すると矯正が困難で不良品となり歩留まりが低下する。特に、従来から行われている摩擦接合により半導体素子４００ｆをサスペンションヘッド４００ｂにダメージなどの問題なく確実に接合するのは困難であった。
【００１２】
これを解消するのに本発明者等が種々に実験を繰り返し検討を重ねたところ、金属接合のための摩擦接合動作を途中で一旦軽減するか休止するのが好適なことが判明した。
【００１３】
本発明の目的は、上記のような新たな知見に基づき、接合対象物にダメージなく過不足ない金属接合ができる摩擦接合方法と装置を提供することにある。
【００１４】
（発明の開示）
本発明は、上記目的を達成するため、以下のように構成している。
【００１５】
本発明の第１態様によれば、２つの接合対象物である半導体素子と回路形成体とを加圧および上記回路形成体の表面沿いに横方向に相対移動させて、金属接合部としての上記半導体素子の複数の金属バンプと上記回路形成体の複数の金属電極部同士をそれぞれ摩擦させることにより、上記金属接合部同士を摩擦接合するのに、摩擦接合動作を途中で、上記相対移動又は上記加圧を休止し、または、上記相対移動及び上記加圧の一方もしくは双方の度合を軽減し、または、上記相対移動及び上記加圧の両方を休止することにより、上記金属バンプを潰して上記金属バンプの高さを揃え、
軽減または休止の後、継続して上記摩擦接合動作を行う摩擦接合方法を提供する。
【００１６】
本発明の第２態様によれば、上記２つの接合対象物のうちの一方の接合対象物である上記半導体素子を保持ツールにより保持して上記接合対象物同士を互いの金属接合部同士を対向させた状態で、上記２つの接合対象物のうちの他方の接合対象物である上記回路形成体に対し加圧および相対移動させて、互いの金属接合部同士を摩擦させることにより、上記金属接合部同士を摩擦接合するのに、上記摩擦接合動作を途中で、上記相対移動又は上記加圧を休止し、または、上記相対移動及び上記加圧の一方もしくは双方の度合を軽減し、または、上記相対移動及び上記加圧の両方を休止し、
軽減または休止の後、継続して上記摩擦接合動作を行う第１の態様に記載の摩擦接合方法を提供する。
【００１８】
本発明の第３態様によれば、上記相対移動は、上記２つの接合対象物のうちの一方の接合対象物である上記半導体素子を超音波振動させることにより行う第１又は２の態様に記載の摩擦接合方法を提供する。
【００２５】
本発明の第４態様によれば、上記軽減または休止前の初期摩擦接合の動作は、上記接合対象物同士の距離を制御し、上記軽減または休止後に継続して行う上記摩擦接合動作は、上記接合対象物同士の上記加圧を制御して行う第１〜３のいずれか１つの態様に記載の摩擦接合方法を提供する。
【００２６】
本発明の第５態様によれば、上記軽減または休止前の初期摩擦接合の動作は、上記接合対象物同士の上記加圧を制御し、上記軽減または休止後に継続して行う上記摩擦接合動作は、上記接合対象物同士の距離を制御して行う第１〜３のいずれか１つの態様に記載の摩擦接合方法を提供する。
【００３０】
本発明の第６態様によれば、上記２つの接合対象物のうちの一方の接合対象物を保持ツールにより保持して上記接合対象物同士を互いの金属接合部同士を対向させた状態で、上記２つの接合対象物のうちの他方の接合対象物に対し加圧および相対移動させて、互いの金属接合部同士を摩擦させることにより、上記金属接合部同士を摩擦接合するのに、上記摩擦接合動作を途中で一時軽減または休止するとともに、上記超音波振動により摩擦接合するのに、上記軽減または休止前の初期摩擦接合の動作において上記保持ツールに取り付けられた発振器に連結された超音波ホーンのインピーダンスをモニタし、モニタされたインピーダンスに応じて、上記軽減または休止後に継続して行う上記摩擦接合動作を制御する第３の態様に記載の摩擦接合方法を提供する。
【００３２】
本発明の第７態様によれば、２つの接合対象物である半導体素子を吸着ツールで保持するとともに回路形成体を保持し、上記半導体素子と上記回路形成体とをそれぞれ保持して互いの複数の金属接合部である金属バンプと金属電極部がそれぞれ対向し合うように位置決めする２つの接合物取り扱い装置と、
上記２つの接合物取り扱い装置が保持している各接合対象物を上記回路形成体の表面沿いに横方向に相対移動させることにより、上記２つの接合対象物の上記対向し合う複数の金属バンプと金属電極部同士をそれぞれ摩擦接触させる相対移動装置と、
各接合物取り扱い装置による上記接合対象物の保持および位置決めと、上記相対移動装置による各接合物取り扱い装置の相対移動を制御して、各接合物取り扱い装置が保持した上記接合対象物の上記複数の金属バンプと金属電極部同士をそれぞれ対向させるとともに、上記相対移動により摩擦接触させてそれぞれ金属接合する制御装置とを備え、
上記制御装置は、上記摩擦接合動作を途中で、上記相対移動又は上記加圧を休止し、または、上記相対移動及び上記加圧の一方もしくは双方の度合を軽減し、または、上記相対移動及び上記加圧の両方を休止することにより、上記金属バンプを潰して上記金属バンプの高さを揃え、軽減または休止の後、継続して上記摩擦接合動作を行う摩擦接合装置を提供する。
【００３３】
本発明の第８態様によれば、上記相対移動装置による各接合物取り扱い装置の一方の移動は超音波振動である第７の態様に記載の摩擦接合装置を提供する。
【００３４】
本発明の第９態様によれば、上記２つの接合物取り扱い装置のうちの一方の接合物取り扱い装置により、上記２つの接合対象物のうちの一方の接合対象物が取り扱われ、上記一方の接合対象物は、枠部と、この枠部から枠部内に延びて上記枠部に対し傾斜した傾斜部に上記金属接合部を持った接合対象物であり、
上記一方の接合物取り扱い装置は、上記一方の接合対象物の上記枠部を位置決め保持する位置決め部を有し、
上記位置決め部は、上記一方の接合対象物の上記枠部をその搬送面沿いに保持案内して上記一方の接合対象物の搬入および搬出を図る搬出搬入位置と、上記枠部を保持し位置決めした上記一方の接合対象物の上記傾斜部が上記搬送面沿いとなるように傾き、上記傾斜部に有する上記金属接合部を金属接合に供する接合位置とに移動でき、
上記一方の接合物取り扱い装置は、さらに、上記位置決め部を上記搬出搬入位置と上記接合位置とに移動させるように切り換える位置切り換え装置と、
上記位置決め部が上記接合位置に切り換えられたとき上記位置決め部が位置決めしている上記一方の接合対象物の上記傾斜部を下方から支持するようにバックアップするバックアップ部とを備え、
上記制御装置は、上記一方の接合対象物の搬入、搬出、位置決め、接合の動作に応じて、上記位置切り換え装置を制御して上記位置決め部を上記搬出搬入位置と上記接合位置とに切り換える第７又は８の態様に記載の摩擦接合装置を提供する。
【００３９】
（発明を実施するための最良の形態）
本発明の記述を続ける前に、添付図面において同じ部品については同じ参照符号を付している。
【００４０】
以下、図面を参照して本発明における実施形態を詳細に説明する。
【００４１】
（第１実施形態）
以下、本発明の第１実施形態に係る摩擦接合方法と装置、および摩擦接合装置に用いる保持ツールにつき、図１〜図１４を参照して第１実施形態とともに詳細に説明し、本発明の理解に供する。
【００４２】
第１実施形態は、主として図１、図７（Ａ）、（Ｂ）、図１１に示すようなフリップチップタイプの半導体素子１と、回路形成体例えば記録媒体例えば磁気ディスク読取り用の図１１に示すようなサスペンションヘッドの基材２とを２つの接合対象物の一例として、双方にある金属電極部としての金属バンプ３と配線（例えばランド）４との金属接合部同士を図２（Ｂ）に示すように、横方向に、言いかえれば、基材２の表面沿いに（例えば、上下方向とは直交する方向沿いに）相対移動させて互いに摩擦接合することにより、半導体素子１を基材２に接合して図１３、図１４に示すようなサスペンションヘッド５を製造する場合の一例である。
【００４３】
しかし、本発明はこれに限られることはなく、コネクタなどを含む一般電子部品を回路基板に接合して電子回路基板を製造するような場合、電子部品や回路基板に関わりなく、また、電気部品や電気製品に関わりなく、種々な接合対象物同士の金属接合部間を摩擦接合して種種な二次製品、製品を製造する場合一般に適用して本発明は有効である。
【００４４】
半導体素子１は例えばシリコンウエハからなり、電子回路などと電気接続して所定の素子機能を発揮するために図７（Ａ）、（Ｂ）に示すような電極１ａが必要な数形成され、それら各電極１ａに上記電気接続のための金属バンプ３が形成されている。金属バンプ３は金やアルミニウムなどの電気の伝導性よい金属材料よりなり、例えばワイヤの端部を超音波振動および加熱によって溶着、拡散接合させた後後続部分を切り離すことによって精度よく形成される。なお、半導体素子１は、シリコンウエハに限られるものではなく、ＧａＳｉでもよく、ＳＡＷ（Surface  Acoustic  Wave）素子に用いられるＬｉＴａ、ＬｉＮｂなどでもよい。
【００４５】
サスペンションヘッド５の基材２は図１１に示すように薄いばね片からなり、基部２ａから先端部２ｂに向け先細り形状で、先端部２ｂの片面に磁気ディスク読取り用の金属ドット４ａ（センシング端子）が密集して配列されて読取り部２ｃをなし、この読取り部２ｃから基部２ａ側に延びる信号線としての配線４に対して半導体素子１の金属バンプ３が所定の対応関係にて金属接合されることによりサスペンションヘッド５となり、磁気データの読取り機能を発揮できるようになる。サスペンションヘッド５は図１３、図１４に示すように、その基部２ａの貫通穴２ｐを回転軸７に嵌合して基部２ａを回転軸７により回転軸７の軸芯回りに回動できるように支持され、ドライブディスク８上の磁気ディスク９に読取り部２ｃが対向して、回転駆動される磁気ディスク９を半径方向に走査して、磁気ディスク９に記録された磁気データを読取り送信する。
【００４６】
第１実施形態の摩擦接合方法は、例えば図２（Ｂ）に示すように上記半導体素子１および基材２の接合対象物同士を加圧および相対移動させて、互いの金属接合部である金属バンプ３および配線４同士を摩擦させることにより、これら金属バンプ３および配線４同士を摩擦接合するが、この摩擦接合の動作を途中で一時軽減または休止する。
【００４７】
摩擦接合動作の軽減は、例えば、上記摩擦のために金属バンプ３および配線４間を加圧しながら相対移動させるときの、半導体素子１および基材２間の相対移動だけを休止しても、あるいは、加圧だけを休止しても行うことができる。加圧の休止は、加圧を解除しても、あるいは加圧の進行を止めるだけでも行える。また別に、摩擦接合動作の軽減は、半導体素子１および基材２同士の相対移動、および金属バンプ３および配線４間の加圧、の一方または双方の度合を軽減しても行える。摩擦接合動作の休止は、半導体素子１および基材２同士の相対移動を休止し、相対移動に加圧を伴う場合はその加圧をも休止することで行える。
【００４８】
このように、半導体素子１および基材２同士を加圧および相対移動させて、互いの金属バンプ３および配線４同士を摩擦させると、金属バンプ３および配線４同士は摩擦によって昇温し、軟化、溶融、拡散接合を伴い摩擦接合する。この摩擦接合の動作を途中で一時軽減または休止すると、金属バンプ３および配線４同士、半導体素子１および基材２同士は、一気に金属接合されてしまう場合のような機械的、熱的影響が低減してダメージを受けにくくなり、半導体素子１を金属接合して接合する相手である接合対象物が薄い板ばねよりなる磁気ディスク読取り用のサスペンションヘッド５の基材２であっても変形しにくく歩留まりが高くなる。しかも、摩擦接合の動作が途中軽減されたり、休止されたりすることによりかえって金属バンプ３および配線４の金属接合部におけるシェア強度が増し、摩擦接合が問題なく確実に達成される。
【００４９】
この場合、一対の接合対象物の一方である例えば半導体素子１を図２（Ａ）、（Ｂ）に示すような、保持ツールの一例としての、吸着ツール１１により吸着保持すると、ピックアップ位置から基材２まで仮接合のために持ち運びやすいし、種々に取り扱いやすいので、この保持した一方の接合対象物である半導体素子１を他方の接合対象物である基材２に対し、互いの金属接合部である金属バンプ３および配線４同士を図２（Ｂ）に示すように対向させて、加圧および相対移動させることができ、他方の接合対象物である基材２は所定位置に位置決めするだけでよくなるなどその取り扱いが簡略化する。
【００５０】
また、上記の相対移動は、半導体素子１および基材２を超音波振動させるだけでよいし、上記吸着ツール１１を通じそれが保持している接合対象物、例えば半導体素子１に与えれば足り、簡単かつ容易に実現する。特に超音波振動によると相対移動が微小で高速な振動状態で得られ、半導体素子１の金属バンプ３と、サスペンションヘッド５を製造するための基材２上にある配線４とのように微小な金属接合部同士でも過剰な潰れなしに短時間で十分に摩擦接合することができる。
【００５１】
吸着ツール１１により半導体素子１などの接合対象物を吸着保持するのに、吸着ツール１１の吸着面１１ａに形成した図２（Ｂ）、（Ｃ）に示すような凹部１１ｂにおける、吸着対象とする接合対象物である半導体素子１の外形と相似でかつ上記外形より小さい凹部、すなわち、吸着ツール１１の吸着面１１ａに接触可能な半導体素子１の四角形の上面の外形縁部である四辺に密着接触可能な四角形枠状のテーパ面１１ｃに、上記半導体素子１の四角形の上面の四辺が密接してその半導体素子１を受け止めて吸着し保持するようにする。このようにすると、接合対象物である半導体素子１が吸着ツール１１の吸着面１１ａで吸着されるとき、吸着面１１ａにある上記凹部１１ｂのテーパ面１１ｃに半導体素子１の角部が密着して接触して受け止められて、吸着ツール１１によりあるいはこれを通じて与えられる、他の接合対象物である基材２との相対移動のための移動や超音波振動を逃げや位置ずれなく伝達される。
【００５２】
なお、本発明は、上記半導体素子１などの接合対象物を超音波接合のために保持するとき、吸着保持に限定されるものではない。例えば、半導体素子１を図３（Ａ）及び（Ｂ）に示すように、保持ツールの別の例としての、最終摩擦接合専用ツール１１１の保持面１１１ａに形成した凹部１１１ｂにおける、保持対象とする接合対象物である半導体素子１の外形と大略相似な四角形の対向する２辺に対応して一対形成されたテーパ面１１１ｃにてその半導体素子１を受け止めて保持し保持するようにする。このようにすると、接合対象物である半導体素子１が最終摩擦接合専用ツール１１１の保持面１１１ａで保持されるとき、保持面１１１ａにある上記凹部１１１ｂの一対の対向するテーパ面１１１ｃに半導体素子１の一対の対向する角部が密着して接触して受け止められて、最終摩擦接合専用ツール１１１によりあるいはこれを通じて与えられる、他の接合対象物である基材２との相対移動のための移動や超音波振動を逃げや位置ずれなく伝達される。テーパ面１１１ｃの傾斜角度の一例としてはθが９０°〜１２０°が好ましいとともに、材質は例えば半導体素子がＳｉやサファイヤ（ＬＥＤの場合）の場合にはツールの磨耗を防止するために超硬合金やダイヤモンドなどが好ましく、半導体素子１の厚みｔの半分程度が上記凹部１１１ｂ内に入り込む程度が好ましい。
【００５３】
これにより、上記のような金属バンプ３と配線４などとの金属同士の摩擦接合を効率よく達成することができるし、吸着ツール１１により吸着される接合対象物である半導体素子１の背面１ｂが吸着面１１ａから浮いて位置ずれすることがないため擦れ合うことはなく、従来のように半導体素子１の背面１ｂが吸着面１１ａとの擦れ合いにより傷が付き、また、半導体素子１の背面１ｂに傷が付くときに出るシリコン粉や欠けらなどの異物が吸着面１１ａに付着堆積してこれがかえって吸着保持する半導体素子１の背面１ｂに傷を付け、また、削れや欠け、電極１ａを含む割れが生じる原因になるようなことを回避することができ、歩留まりの向上と、背面１ｂの傷付きによる品質低下防止とを図ることができる。また、半導体素子１の背面１ｂと吸着面１１ａとの間で発生する異物が基材２上の金属ドット４ａや配線４に付着して読取り特性を損なうような問題も回避できサスペンションヘッド５を製造する際の歩留まりが向上する。
【００５４】
もっとも、このようなテーパ面１１ｃによる半導体素子１などの接合対象物の吸着保持又は吸着無しの保持は、半導体素子１などの接合対象物を上記相対移動のために移動させ、あるいは振動させる方向だけでよく、移動方向で相対向する一対のテーパ面１１ｃだけで足りる。従って、図２（Ｃ）、図３（Ａ）に示すどちらの形態でもよい。しかし、図２（Ｃ）の場合には、半導体素子１などの吸着保持を損なわないことが必要であるが、図３（Ａ）に示す最終摩擦接合専用ツール１１１の場合は、吸着しないため、特に吸着の際の空気漏れを許容範囲内に押さえる工夫は不要となる。なお、図２（Ｃ）の場合において、図３（Ａ）に示すような対向する一対のテーパ面のみを有する吸着ツールとした場合には、半導体素子１などの吸着保持を損なわないため、特に吸着の際の空気漏れを許容範囲内に押さえる工夫が必要となる。
【００５５】
第１実施形態の摩擦接合装置は上記のような摩擦接合を達成するのに、半導体素子１および基材２などの一対の接合対象物をそれぞれ保持して、金属バンプ３および配線４などの互いの金属接合部が対向し合う図２（Ｂ）に示すように位置決めする図１〜図３（Ｂ）に示すような２つの接合物取り扱い装置２１、２２と、これら接合物取り扱い装置２１、２２をそれが保持している半導体素子１および基材２の各接合対象物を相対移動させることにより、それらの上記対向し合う金属バンプ３および配線４である金属接合部同士を摩擦接触させる相対移動装置２３とを１つの機体２５に備え、さらに各接合物取り扱い装置２１、２２による接合対象物の保持および位置決めと、相対移動装置２３による各接合物取り扱い装置２１、２２間の相対移動を制御して、各接合物取り扱い装置２１、２２が保持した接合対象物の金属接合部同士を対向させるとともに、相対移動により摩擦接触させて金属接合する制御装置２４を備え、制御装置２４は上記摩擦接合動作を途中で一時軽減または休止させるようにし、上記のような途中で軽減または休止する摩擦接合を自動的に確実に遂行するようにしてある。
【００５６】
相対移動装置２３は、上記のように各接合物取り扱い装置２１、２２の一方のしかも接合物を保持する一部を移動させて他方に対し相対移動させれば足りるし、相対移動装置２３による各接合物取り扱い装置２１、２２の一方の移動を超音波振動とするのが上記のように好適である。
【００５７】
そこで、第１実施形態では、短冊状の細長い基材２は、その多数が図１２に示すように大略四角枠状の枠部２ｄに一端の基部２ａのみで連絡部２ｅを介してつながり、他端が自由端となって、互いに所定間隔をおいて平行に配列されており、半導体素子１との接合箇所を多数持っており、このように多数の基材２が一体となって基材集合体２Ａとして取り扱われるようにしている。そして、基材集合体２Ａの１つの枠部２ｄ内の多数の基材２に対して半導体素子１との金属接合に複数回供することに対応して、１つの基材集合体２Ａを取り扱う接合物取り扱い装置２２の側を、基材集合体２Ａにおいて複数の基材２をそれらに共通した１つの枠部２ｄを保持案内して基材集合体２Ａを取り扱い、所定の接合場所に基材集合体２Ａの枠部２ｄを位置決めして基材集合体２Ａの１つの枠部２ｄについて基材２の数に対応する回数だけ半導体素子１との接合に供し、半導体素子１を摩擦接合の都度１つ１つ取り扱う接合物取り扱い装置２１の側に吸着ツール１１を用いて接合物を吸着保持して簡易に取り扱い、吸着保持した半導体素子１を接合物取り扱い装置２２により位置決めされた基材集合体２Ａの枠部２ｄにある各基材２の半導体素子接合位置に持ち運んで、金属バンプ３および配線４同士を図２（Ａ）に示す対向状態に位置決めする。そして、吸着ツール１１に上記相対移動のための超音波振動を与え、必要に応じ半導体素子１を基材２に対し加圧することも行う。加圧は金属バンプ３および配線４などの金属接合部同士の相対移動による摩擦接合を助長し、接合を早め確実にする作用を営む。
【００５８】
このような第１実施形態の摩擦接合装置は、半導体素子１および基材２などの一対の接合対象物の少なくとも一方を、それを取り扱う接合物取り扱い装置に供給する供給装置とを備えて摩擦接合装置を構成することができ、図１、図２（Ａ）〜（Ｃ）に示す第１実施形態の摩擦接合装置は半導体素子１を接合物取り扱い装置２１に自動的に供給する部品供給部３１を有し、場合によっては基材２を持った基材集合体２Ａの枠部２ｄを接合物取り扱い装置２２に自動的に供給する部品供給部３２、さらに、基材集合体２Ａの各基材２に半導体素子１が接合された図１２に示されるようにサスペンションヘッド５を持った枠部２ｄを自動的に収納して他に移しやすくする製品収納部３３が設けられる。
【００５９】
このようにされた摩擦接合装置は、上記特徴ある摩擦接合動作を、多数を個別に取り扱う側の半導体素子１などの接合対象物を少なくとも部品供給部３１から必要の都度自動供給しながら、手操作で供給され、あるいは部品供給部３２から必要の都度自動供給される基材２などの他の異なった接合対象物との間で、順次に繰り返し行うことができ、接合対象物同士を１対１対応、あるいは１対複数対応で摩擦接合して一方を他方に装着し種々な二次製品や最終製品を生産することが自動的に、容易かつ確実に高速で達成することができる。しかも、製品収納部３３を有していると、製品が順次に高速で製造されても、それを製品収納部３３で収納カセット３４などに自動的に順次に収納していき、必要数まとまって取り扱えるようにし、他への移送や次の使用に便宜を図ることができる。
【００６０】
相対移動のための移動を行わない側の接合物取り扱い装置２２は、基材２を複数持った基材集合体２Ａの枠部２ｄを搬入して、これを保持し、接合位置に位置決めして摩擦接合に供し、摩擦接合後、搬出を図る位置決め部２６を有する位置決め装置を備えている。位置決め部２６の概略を図５（Ａ）及び図６に、詳細を図１６〜図２１に示す。このように構成して、他の接合対象物である半導体素子１との摩擦接合箇所を複数有している基材集合体２Ａの枠部２ｄを上記位置決め部２６により上記接合位置に１回位置決めすれば、上記半導体素子１など他の接合対象物をそれに対応する接合物取り扱い装置２１で繰り返し取り扱うとき、上記位置決めされた接合対象物の各摩擦接合位置に、共通した位置基準のまま摩擦接合すれば足り、基材２などの他の接合対象物との摩擦接合箇所が複数ある基材集合体２Ａなどの接合対象物の取り扱い、およびこれを取り扱う接合物取り扱い装置２２は、相対移動のための移動や取り扱う接合対象物を持ち運ぶような移動を特に必要とせず、その分、構造が簡単になる。
【００６１】
第１実施形態の摩擦接合装置は、上記枠部２ｄと、この枠部２ｄから図１２に示すように枠部２ｄ内に延びて枠部２ｄに対し図５（Ａ）に示すように傾斜した傾斜部２ｆに配線４などの金属接合部を持った基材集合体２Ａの各基材２の接合対象物につき、位置決め部２６を有した接合物取り扱い装置２２は、その枠部２ｄを保持案内して、取り扱い上記傾斜部２ｆにある金属接合部を摩擦接合に供するために、上記位置決め部２６が、以下のような特徴のある位置決め装置に装備されている。
【００６２】
具体的には、位置決め部２６は、図２０に実線で示す搬出搬入位置と、図５（Ａ）及び図１９に示す接合位置とに移動できるようにしている。上記搬出搬入位置では、図６及び図１６に示すように、基材集合体２Ａの枠部２ｄを基材搬送面沿いに、例えば水平に、保持案内して、接合対象物としての基材集合体２Ａの接合物取り扱い装置２２に対する搬入および搬出を図る。上記接合位置では、位置決め部２６で保持し位置決めした基材集合体２Ａの枠部２ｄの上記各基材２の傾斜部２ｆが基材搬送面沿いとなるように枠部２ｄを傾けさせ、各傾斜部２ｆに有する配線４の金属接合部を金属接合に供するように位置決め保持させる。図示する第１実施形態では、位置決め部２６は、軸４１のまわりの回動により搬出搬入位置と接合位置の間で移動できるように構成されている。位置決め装置としては、この位置決め部２６に加えて、位置決め部２６を図４（Ａ）の基材搬送面沿いの搬出搬入位置と図５（Ａ）の傾斜した接合位置とに切り換える位置切り換え装置４２と、位置決め部２６が接合位置に切り換えられたとき位置決め部２６が位置決めしている枠部２ｄおよび基材２における傾斜部２ｆをバックアップするバックアップ部４３とを備えて、摩擦接合装置における動作制御用の制御装置２４が、基材集合体２Ａの搬入、搬出、位置決め、接合の動作に応じて、位置切り換え装置４２を適宜働かせるようにする。
【００６３】
図示する第１実施形態では、位置切り換え装置４２を上記軸４１で支持する支持台４５が、バックアップ部４３を上部に持った位置決め装置の基台４６に対し昇降用のエアシリンダ４７により昇降させられるように支持し、位置切り換え装置４２は、上記支持台４５と位置決め部２６の自由端部との間に働かせたエアシリンダ４８で構成している。このエアシリンダ４８は制御装置２４による動作制御で伸縮されることにより、位置決め部２６を搬出搬入位置と接合位置とに必要に応じ切り換える。位置決め部２６は、搬出搬入位置では、図１７及び図１８に実線で示すように、一方のガイドレール２６ａの下端面の長手方向両端部が一対のストッパ１４７Ａに当接して位置決めされている。位置決め部２６は、搬出搬入位置では、図１７及び図１８に二点鎖線で示すように、他方のガイドレール２６ａの下端面の長手方向両端部が一対のストッパ１４７Ｂに当接して位置決めされている。
【００６４】
位置決め部２６の接合位置への移動によって基材２の傾斜部２ｆが、バックアップ部４３に即時に受けとめられバックアップ状態、言いかえれば、傾斜部２ｆの下面がバックアップ部４３の上面に接触して支持される状態になるようにしてもよいが、このようなバックアップがよりスムーズに無理なく、従って基材２および枠部２ｄによりダメージなく行えるように、位置決め部２６が傾斜した接合位置に切り換えられたとき、制御装置２４からの昇降用のエアシリンダ４７の収縮制御によって接合位置の位置決め部２６を下方に平行移動させて、エアシリンダ４７のクッション性を利用してショックなく傾斜部２ｆがバックアップ部４３側に平行移動して傾斜部２ｆがバックアップ部４３に無理なく確実に着座させられるようにしている。このような平行移動のための機構や位置切り換え装置４２、および位置決め部２６の移動方式は種々に変更して構成することができる。しかし、位置決め部２６の平行移動は省略することができる。
【００６５】
このような位置決め部２６の位置切り換えによると、複数の基材２を枠部２ｄに一体とした全体を、接合対象物となる１つの基材２に比し十分に大きな枠部２ｄで一括に取り扱い、複数の半導体素子１などの他の接合対象物との摩擦接合に順次供する場合において、位置決め部２６は基材２を持った枠部２ｄを保持案内することで、図６の基材搬送面沿いの搬出搬入位置のまま回路基板などの一般の板状物を取り扱う場合と同様に搬入、搬出、位置決めを図りながら、位置決め状態で制御装置２４および位置切り換え装置４２により図５（Ａ）の所定の接合位置に移動されることにより枠部２ｄを介し位置決めしている接合対象物である基材２の、枠部２ｄに対し傾斜している傾斜部２ｆを図５（Ａ）に示すように基材搬送面沿いの姿勢にして、バックアップ部４３によりバックアップされるように位置決めし直すことができる。
【００６６】
これにより、上記のような基材２の傾斜部２ｆを、半導体素子１など他の接合対象物とのそれを取り扱う接合物取り扱い装置２１による摩擦接合に必要回数供することが基材搬送面沿いに位置決めされた一般の板状物に対する場合同様に難なく行うことができ、傾斜部２ｆやそれを有する基材２が振動や変形のしやすいばね片であるような場合でも、それに変形や損傷などのダメージを与えることなく十分な摩擦接合が確実に行える。
【００６７】
位置決め部２６を下方に平行移動させて傾斜部２ｆがバックアップ部４３に無理なく着座させる第１実施形態の装置では、枠部２ｄの各基材２につき摩擦接合が終了した段階で、エアシリンダ４７の制御装置２４による伸長制御により位置決め部２６を上方へ平行移動させて、傾斜部２ｆをバックアップ部４３から無理なく引き離した後、エアシリンダ４８により接合位置から搬出搬入位置に戻すようにする。
【００６８】
位置決め部２６は、上記摩擦接合が終了したとき、あるいは上記上動復帰が行われるときはそれを含めて終了したとき、制御装置２４および位置切り換え装置４２にて図６の基材搬送面沿いの搬出搬入位置に戻されることにより、複数の基材２の各傾斜部２ｆに半導体素子１の摩擦接合を終えた枠部２ｄの搬出と新たな枠部２ｄの搬入を図ることができる。
【００６９】
この搬出と搬入のために図１、図５（Ａ）、図６に示す第１実施形態では、位置決め部２６と、これの両側に位置して位置決め部２６との間で枠部２ｄの搬入及び搬出を図る搬入部５１、搬出部５２とが、それぞれ連続するように並んで枠部２ｄを一方向、図示する第１実施形態ではＸ方向に搬送できるように保持し案内する一対のガイドレール２６ａ、５１ａ、５２ａを備えている。これにより、位置決め部２６において摩擦接合後の枠部２ｄの搬出、および新たな枠部２ｄの搬入を、搬出部５２および搬入部５１を通じた図示しないチェーンやベルトを利用した直線方向の単純な搬送にて簡易に達成することができる。搬入部５１から位置決め部２６に搬入される枠部２ｄは、位置決め部２６に有した図６に示すストッパ５３がエアシリンダ５４により搬送路に一時的に突出して受けとめられることにより、位置決め部２６上の搬出搬入位置で摩擦接合に供されるように位置決めされる。
【００７０】
また、図５（Ａ）に示すように、位置決め部２６は、位置決め部２６のレール２６ａの一方に他方の側に向け進出して位置決め部２６に受け入れ位置決めした接合対象物である基材２の枠部２ｄを他方の側との間で図示するようにクランプし、また後退してそのクランプを解除するストッパ５７を備え、制御装置２４は位置決め部２６に枠部２ｄを受け入れ位置決めした都度、ストッパ５７を進出させて位置決め保持させ、接合動作が終了する都度ストッパ５７を後退させるようにしてある。ストッパ５７は制御装置２４により制御されるエアシリンダ５７ａにより進退させるようにしてあるが、その具体的方法は特に問わない。しかし、エアシリンダ５７ａを用いると、そのエアクッションにより上記クランプを特別な配慮なしに無理なく行い、枠部２ｄなどにダメージを与えにくくなる利点がある。
【００７１】
このように、枠部２ｄを位置決め部２６に搬入し所定位置に位置決めしたとき、制御装置２４およびストッパ５７によりその位置決め位置にクランプすることにより不動にすることができ、枠部２ｄが持つ基材２との摩擦接合を図る半導体素子１などの他の接合対象物が相対移動のために移動されたり振動されたりすることによって、枠部２ｄが位置ずれするようなことを防止するので、より高い位置精度での摩擦接合ができる。
【００７２】
また、枠部２ｄが持つ基材２の傾斜部２ｆが、枠部２ｄ内に延びるばね片の先端部２ｂに形成されていて、より不安定な条件にあることに対応して、図示する第１実施形態の位置決め装置では、さらに、ばね片である各基材２に有する傾斜部２ｆの傾斜基部をバックアップ部４３との間で、図５（Ａ）に実線で示すように挟持したり、この挟持を図５（Ａ）に仮想線で示すように解除したりできるように、位置決め部２６の一方のレール２６ａに支持された押さえ部材６１と、この押さえ部材６１をレール２６ａとの間で挟持位置と挟持解除位置とに切り換える切り換え装置６２とを備えている。従って、制御装置２４の制御の下に、位置決め部２６に枠部２ｄ、つまり接合対象物である基材２を搬出搬入位置に受け入れて接合位置に位置決めした都度、押さえ部材６１を挟持位置とし、接合動作が終了する都度挟持解除位置とするようにしてある。
【００７３】
押さえ部材６１は挟持の際に基材２にダメージを与えないために、ばね性を有する板部材として、レール２６ａにヒンジピン６３により挟持位置と挟持解除位置との間で回動できるように支持し、その先端部が傾斜部２ｆに被さって面接触し挟持するようにしている。しかし、具体的な挟持方式や挟持構造は適宜変更することはできる。上記切り換え装置６２は、制御装置２４により動作制御されるエアシリンダ６４より構成し、このエアシリンダ６４を駆動して一方のレール２６ａと押さえ部材６１の自由端側との間の間隔を増減させるように働かせ、エアシリンダ６４のエアクッション性を利用して傾斜部２ｆや基材２などに無理なく挟持、および挟持解除できるようにしている。しかし、これも種々な動作方式および動作機構に置きかえることができる。
【００７４】
上記構成により、上記押さえ部材６１は、常時は、その先端部が傾斜部２ｆに被さって挟持する方向に上記押さえ部材６１自体のばね性により付勢されており、エアシリンダ６４の駆動によりエアシリンダ６４のピストンロッドが上昇して押さえ部材６１を押し上げることにより、傾斜部２ｆに対する挟持を解除できるようにしている。
【００７５】
図示する第１実施形態では特に、押さえ部材６１の先端部が傾斜部２ｆに被さって面接触しそれを挟持する初期、およびこの挟持を解除する初期に基材２や傾斜部２ｆにダメージや変形を与えやすいことに配慮して、さらに、押さえ部材６１の挟持開始および挟持解除開始の際に動作速度を低速状態から徐々に高めるように制御装置２４により制御し、よりダメージなく挟持および挟持解除ができるようにしてある。
【００７６】
押さえ部材６１による挟持動作によると、位置決め部２６が基材２の傾斜部２ｆを基材搬送面沿いにしてバックアップ部４３でバックアップされる状態で摩擦接合に供する際に、制御装置２４および切り換え装置６２により押さえ部材６１を挟持位置とすることで、傾斜部２ｆをバックアップ部４３との間で挟持するようにして、ばね片よりなる基材２の先端部２ｂにある傾斜部２ｆが摩擦接合時に振動や位置ずれしたり変形したりするのを防止することができ、基材２にダメージを与えないで十分な摩擦接合を確保することができ、摩擦接合後に挟持解除位置としておくことで摩擦接合後の枠部２ｄの位置決め部からの搬出、新たな接合対象物の搬入を図るのを邪魔することはない。
【００７７】
また、押さえ部材６１が複数ある各基材２に対応して、図５（Ｂ）に示すように、切り込み６１ａなどにより独立した押さえ片６１ｂが被さって面接触し上記の挟持、挟持解除を行い、各押さえ片６１ｂに各基材２の傾斜部２ｆの配線４における金属接合部を露出させて摩擦接合に供する透過窓６１ｃすなわち貫通孔を設けてある。
【００７８】
これによると、複数ある各基材２をそれらに対応する独立した各押さえ片６１ｂにより個別に挟持することで、基材２および押さえ片６１ｂごとに位置や形状などに違いがあっても、互いの影響や無理なしに挟持して各押さえ片６１ｂに有する貫通孔６１ｃを通じて、貫通孔６１ｃ内に吸着ツール１１で吸着保持された半導体素子１を挿入して、半導体素子１の各バンプ３を貫通孔６１ｃ内に露出した配線４に接触させて、上記高い位置精度での摩擦接合が行われることを保証することができる。
【００７９】
上記した摩擦接合装置の構成によれば、制御装置２４の制御の下に、基材集合体２Ａに対する搬出搬入位置での位置決め、接合位置への移動、挟持動作は、以下のように動作させられる。すなわち、基材集合体２Ａが搬入部５１から位置決め部２６に搬入され、位置決め部２６に基材集合体２Ａよって枠部２ｄを搬出搬入位置に受け入れると、ストッパ５３が上昇して、基材集合体２Ａの先端がストッパ５３により当て止められて基材集合体２Ａが搬出搬入位置に位置決めされる。その後、エアシリンダ５７ａによりストッパ５７を進出させて枠部２ｄを位置決め部２６に対して位置決め保持する。その後、エアシリンダ４８を収縮させて位置決め部２６を搬出搬入位置から接合位置に軸４１のまわりの回動により図５（Ａ）及び図１９に示すように傾斜させるとともに、昇降用のエアシリンダ４７のピストンロッドの収縮制御すなわち下降制御によって接合位置の位置決め部２６を下方に平行移動させて、エアシリンダ４７のクッション性を利用してショックなく、傾斜部２ｆがバックアップ部４３側に平行移動して、図５（Ａ）に示すように傾斜部２ｆがバックアップ部４３に無理なく確実に着座させられて支持される。その後、エアシリンダ６４を駆動して、そのピストンロッドを下降させて押さえ部材６１のバネ力によりその先端とバックアップ部４３との間で図５（Ａ）及び図１９に示すように全ての基材２の傾斜部２ｆを一斉に挟持するようにしている。このように全ての基材２の傾斜部２ｆが押さえ部材６１とバックアップ部４３との間で挟持された状態で、押さえ部材６１の各押さえ片６１ｂの貫通孔６１ｃ内に吸着ツール１１で吸着保持された半導体素子１を挿入して、半導体素子１の各バンプ３を貫通孔６１ｃ内に露出した配線４に接触させて上記初期摩擦接合、軽減又は一時休止、最終摩擦接合が行われる。上記基材集合体２Ａに対する半導体素子１の接合が終了すると、エアシリンダ６４を駆動して、そのピストンロッドを上昇させて押さえ部材６１のバネ力によりその先端とバックアップ部４３との間で全ての基材２の傾斜部２ｆの挟持を一斉に解除する。次いで、昇降用のエアシリンダ４７のピストンロッドを伸ばすように上昇させて接合位置の位置決め部２６を上方に平行移動させるとともに、エアシリンダ４８のピストンロッドを伸ばして位置決め部２６を接合位置から軸４１のまわりの回動により搬出搬入位置に戻す。その後、エアシリンダ５７ａによりストッパ５７を後退させて枠部２ｄの位置決め部２６に対する位置決め保持を解除するとともに、ストッパ５３を下降させてストッパ５３による当て止めを解除する。次いで、接合作業が完了した基材集合体２Ａを上記搬出搬入位置から搬出部５２により搬出して、次の新たな基材集合体２Ａを上記搬出搬入位置に搬入して、先と同様に接合作業を行う。
【００８０】
第１実施形態の摩擦接合装置は、上記相対移動のための移動を行う側の接合物取り扱い装置２１が、部品供給部３１から供給される半導体素子１などの接合対象物を上記のように吸着ツール１１により吸着保持してピックアップして持ち運び、相対移動のための移動を行わない接合物取り扱い装置２２が保持し位置決めしている基材２などの他の接合対象物と、金属バンプ３および配線４など互いの金属接合部を対向させて摩擦接触させ、摩擦接合させるのに、この吸着ツール１１を上記半導体素子１のピックアップ、および持ち運び、摩擦接合位置への位置決めを繰り返し行う移動装置６５を有している。
【００８１】
移動装置６５は、図１に示すように吸着ツール１１を平面上で必要な範囲に移動させる横方向移動機構６６と、この横方向移動機構６６上で上下動させる上下移動機構６７とを有している。しかし、これに限られることはなく１つのアームがそれらを複合した動きをする多関節ロボットなど他の各種の移動機構を用いることができる。
【００８２】
吸着ツール１１は、一例として横方向移動機構６６により必要位置に基材搬送面沿いに移動するよう支持された図１、図２（Ａ）〜（Ｃ）、図４（Ａ）に示す接合ヘッド６８に上下移動機構６７の一例としてのボイスコイルモータ６９を介して昇降できるように支持し、半導体素子１のピックアップや摩擦接合のための上下動、および摩擦接合の際の加圧が行えるようにしてある。相対移動装置２３は、例えば、吸着ツール１１に摩擦接合のための相対移動を行わせる超音波振動を付与する圧電素子を有する発振器であり、超音波を発生させる超音波ホーン７１を吸着ツール１１に連結してあり、必要最小限の吸着ツール１１だけを超音波振動させるもので負荷が小さくて済むし、他への影響が少ない。また、接合ヘッド６８において吸着ツール１１を回転駆動するモータ７２を設けてあり、吸着ツール１１が吸着保持した半導体素子１の吸着向きを補正したり切り換えたりできるようにしてある。
【００８３】
一方、半導体素子１を供給する部品供給部３１では、半導体素子１をダイシング処理して個々に切り離して担持するダイシングシート７４を多段に収納した収納カセット７６を用い、この収納カセット７６から必要な半導体素子１を担持したダイシングシート７４を図１、図２（Ａ）〜（Ｃ）に示す部品供給位置７７に引き出し、その都度必要な半導体素子１を吸着ツール１１によるピックアップに供するようにしてある。このピックアップのために部品供給位置７７にはピックアップに供される半導体素子１の位置や姿勢、品質ランクなど必要なデータを画像認識する認識カメラ７０が設けられ、吸着ツール１１が精度よく半導体素子１をピックアップできるようにするとともに、不良な半導体素子１の廃棄など認識したデータに基づく必要な措置が行われるようにする。
【００８４】
図示する第１実施形態の装置ではさらに、部品供給位置７７で供給されるフリップチップタイプの半導体素子１をより能率よく取り扱って吸着保持し、摩擦接合に供せるように、接合物反転機構１０１を部品供給部３１に備えたものとしてある。接合物反転機構１０１は横軸１０４まわりモータなどにより回転される回転部材１０２に反転用の吸着ツール１０３（図３（Ｃ）参照）を例えば９０度間隔に４個持ち、この各吸着ツール１０３により部品供給位置７７にあるダイシングシート７４上の半導体素子１を下向きの状態で吸着してピックアップし、図２（Ａ）に示すように、それを接合物反転機構１０１により図２（Ａ）に矢印Ｃで示すようにピックアップ位置まで持ち運びながら、あるいはピックアップ位置に持ち運んだ後、回転部材１０２を回転させることにより吸着ツール１０３が上向きとなるようにする。これにより、ダイシングシート７４上から接合物反転機構１０１によりピックアップした半導体素子１の上下が反転され、このように半導体素子１が反転された状態でかつ上記ピックアップ位置に位置した接合物反転機構１０１の吸着ツール１０３で吸着保持された半導体素子１が、吸着ツール１１によるピックアップに供される。具体的には、吸着ツール１０３で吸着保持された半導体素子１が吸着ツール１１により吸着保持されたのち、吸着ツール１０３での吸着が解除されて、半導体素子１が吸着ツール１０３から吸着ツール１１に受け渡されることになる。なお、図３（Ｃ）において１０３ａは吸引孔である。また、接合物反転機構１０１は、上記した動作を行うため、ダイシングシート７４上と、上記ピックアップ位置との間で図２（Ａ）の矢印Ｃ方向すなわちＸ方向に進退可能となっている。
【００８５】
多くの場合、半導体素子１はダイシングシート７４の上で各電極１ａおよび各金属バンプ３が上向きになるように製造され、取り扱われるが、上記のように接合物反転機構１０１により上下を反転した後の半導体素子１を吸着ツール１１によるピックアップに供すると、吸着ツール１１によりピックアプした半導体素子１の各電極１ａおよび各金属バンプ３は下向きとなって、位置決め部２６により保持し位置決めされる基材２の配線４と対面するので、そのまま金属バンプ３および配線４を対向させれば摩擦接合作業が行える。
【００８６】
もっとも、このような部品の供給方式や供給機構は取り扱う部品の荷姿などその種類に応じて他の種々なものを採用することができる。
【００８７】
位置決め部２６は図１、図２（Ａ）に示すように、基材集合体２Ａを搬入させる搬入部５１および基材集合体２Ａを搬出させる搬出部５２と一直線に並び、かつ、多数の基材２を有する基材集合体２Ａの搬入、搬出をＸ方向に図る搬入及び搬出位置７８と、搬入及び搬出位置７８から上記Ｘ方向に直交するＹ方向に外れて摩擦接合の作業を行う作業位置７９とにＹ方向の移動機構９１により移動されるようにしてあり、保持し位置決めした枠部２ｄの各基材２につき摩擦接合の作業を行う都度作業位置７９に移動される。Ｙ方向の移動機構９１の一例としては、モータにより正逆回転するボールネジと、ボールネジに螺合したナット部材に固定されて上記搬入及び搬出位置７８と上記作業位置７９との間で進退させる移動体とより構成されている。しかし、このような上記搬入及び搬出位置７８と上記作業位置７９との間での動きは必須でない。作業位置７９に半導体素子１が吸着ツール１１により部品供給位置７７から持ち運ばれてくる経路の下にも、図２（Ａ）に示すように認識カメラ８１が設けられ、持ち運ばれてくる半導体素子１の吸着ツール１１による吸着姿勢や回転角、位置を画像認識し、吸着ツール１１の吸着ツール軸回りの回転による角度補正や、補正できないときのピックアップのやり直しなどが行えるようにしている。さらに、基材２に半導体素子１を摩擦接合して接合する接合位置８２には、接合対象、つまり吸着ツール１１の側から見た摩擦接合の対象物である基材２の、特に傾斜部２ｆの位置や状態を画像認識する認識カメラ８３が設けられ、吸着ツール１１が吸着保持した半導体素子１を摩擦接合するための位置決めが高精度に行われ、また不良な基材２に半導体素子１を無駄に接合しない処理が行えるようにする。また、接合ヘッド６８には吸着ツール１１による接合作業をモニタするための認識カメラ８４が設けられ、接合作業状態がモニタできるようにしている。機体２５の上面には制御装置２４による各種制御モードや制御状態、それらに基づく各種の支持や案内を表示するモニタ８５と、上記の接合状態を映像などで表示するモニタ８６とが設けられ、接合作業に便宜を図っている。
【００８８】
特に、図１、図２（Ａ）〜（Ｃ）に示す第１実施形態の摩擦接合装置は、相対移動のための移動を行う側の接合物取り扱い装置２１、特に必要最小限となる接合ヘッド６８を２つ設け、各接合ヘッド６８に対して横方向移動機構６６におけるモータにより正逆回転駆動されるボールネジ６６ａ、６６ｂ（図１及び図４（Ａ）参照）によって個別にＸ方向に直線往復移動されるようしている。
【００８９】
これによって、摩擦接合の軽減または休止を挟んだ上記の初期摩擦接合（いわゆる、仮接合）と最終摩擦接合（いわゆる、本接合）とにそれぞれの用途に応じた仕様を設定して、２つの接合ヘッド６８を使い分けることができる。このような使い分けにより、初期摩擦接合および最終摩擦接合の条件の違う２種類の摩擦接合を複雑で微妙な制御をすることなく安定して達成しながら、初期摩擦接合および最終摩擦接合で使用する接合ヘッド６８の切り換えで初期摩擦接合と最終摩擦接合との間の摩擦接合の休止条件を満足するようにもできる。
【００９０】
ここで、上記軽減の割合等は厳密には言えないが、初期摩擦接合では仮固定できておればよいので、半導体素子１の全ての金属バンプ３が接合対象物である基材２の配線４に接合して位置決めが完了した状態、言いかえれば、全てのバンプ３の高さをある程度揃えた状態を意味する。具体例としては、初期摩擦接合は超音波出力が０．５Ｗで時間が０．１秒であり、最終摩擦接合は超音波出力が１．０Ｗで時間が０．３秒である。つまり、軽減とは、最終摩擦接合の０．６（Ｗ）以下であり、しかもある程度の接合強度を得るために必要な０．２以上、好ましくは０．３〜０．５（Ｗ）の範囲である。時間は０．１秒よりも小さくてよい。
【００９１】
このように用いるのに図１、図２（Ａ）〜（Ｃ）に示す第１実施形態では、図２（Ａ）に矢印Ａで示すように一方の接合ヘッド６８の吸着ツール１１は、接合物反転機構１０１によりピックアップ位置に供給される半導体素子１をピックアップ位置で吸着保持して基材２上に持ち運んで初期摩擦接合を行うことを繰り返し、他方の接合ヘッド６８の吸着ツール１１は、図２（Ａ）に矢印Ｂで示すように、一方の接合ヘッド６８が初期摩擦接合を終えて次の半導体素子１の吸着保持に向かい戻ってくる間に、初期摩擦接合を終えて一方の接合ヘッド６８が去っていった状態となっている基材２上の半導体素子１を吸着保持し、最終摩擦接合を行うことを繰り返すようにしてある。他方の接合ヘッド６８の保持ツールは、上記吸着ツール１１に限られるものではない。例えば、一方の接合ヘッド６８による初期摩擦接合を終えて仮接合された半導体素子１に対して最終摩擦接合を行うため、半導体素子１を特に吸着保持する必要がなく、半導体素子１に基材２に対する相対移動、具体的には、超音波振動を付与することができればよく、図３（Ａ）及び（Ｂ）の最終摩擦接合専用ツール１１１でもよい。また、このように、他方の接合ヘッド６８の保持ツールを最終摩擦接合専用ツール１１１とする場合には、上記一方の接合ヘッド６８の吸着ツール１１としては、上記したように、凹部１１ｂ及びテーパ面１１ｃを有するものに限られるものではなく、吸着面が単なる平面である図３（Ｃ）に示す反転用の吸着ツール１０３と同様な吸着ツールでもよい。
【００９２】
もっとも、２つの接合ヘッド６８の一方だけで半導体素子１のピックアップ、初期摩擦接合および最終摩擦接合のそれぞれを行うようにすることができ、この場合、一方の接合ヘッド６８自体の故障や損傷、耐用限度、あるいはそれに保持している半導体素子１などの接合対象物に問題があるような場合に、それらの対応をしながら他方の接合ヘッド６８によって摩擦接合動作を通常通り継続することができるので、稼働率が低下するのを回避することができる。
【００９３】
なお、摩擦接合動作の軽減は、制御装置２４の動作制御で行うことができ、金属バンプ３および配線４などの金属接合部間の相対移動を休止しても、あるいは、金属接合部間の加圧を休止しても行うことができ、加圧の休止は、吸着ツール１１をそれが吸着保持した半導体素子１などの接合対象物から離して行うと加圧の影響を皆無にすることができる。しかし、場合によっては加圧の進行を止めるだけでも休止状態は得られる。また別に、摩擦接合動作の軽減は、半導体素子１および基材２などの接合対象物同士の相対移動、および金属接合部間の加圧、の双方を軽減しても行える。摩擦接合動作の休止は、半導体素子１および基材２などの接合対象物同士の相対移動、および金属バンプ３および配線４などの金属接合部間の加圧、の双方を休止して行える。
【００９４】
これを具体的に説明する。
【００９５】
まず、加圧と超音波振動との関係について説明する。
【００９６】
図２２は、上記第１実施形態にかかる摩擦接合装置及び方法で、加圧が荷重Ｐ０の一定で超音波出力Ｗを軽減させる場合の荷重Ｐと超音波出力Ｗと時間ｔとの関係を示すグラフである。図２３は、上記摩擦接合装置及び方法で、加圧が荷重Ｐ０の一定で超音波出力Ｗを停止させる場合の荷重Ｐと超音波出力Ｗと時間ｔとの関係を示すグラフである。
【００９７】
また、図２４は、上記摩擦接合装置及び方法で、加圧の仕方が一定で、すなわち、荷重Ｐが一定の率で増加し、超音波出力Ｗを軽減させる場合の荷重Ｐと超音波出力Ｗと時間ｔとの関係を示すグラフである。図２５は、上記摩擦接合装置及び方法で、加圧の仕方が一定で、すなわち、荷重Ｐが一定の率で増加し、超音波出力Ｗを停止させる場合の荷重Ｐと超音波出力Ｗと時間ｔとの関係を示すグラフである。これらの図２４及び図２５の方が、図２２及び図２３と比較して、バンプ３と配線（ランド）４とのなじみが行われやすく、接合強度が向上する。
【００９８】
次に、仮接合と本接合、すなわち、初期摩擦接合と最終摩擦接合との制御について説明する。
【００９９】
図２６は、上記摩擦接合装置及び方法で、仮接合は高さ制御で行うとともに本接合は荷重制御で行う場合の高さと荷重と時間との関係を示すグラフである。なお、ここでいう高さとは、例えば、吸着ツール１１の吸着面が配線４上で配線４に対向した接合開始位置を高さ０とし、吸着ツール１１が下降するにつれて高さの値が大きくなるようになっており、高さがｈ１になると、仮接合が完了する。仮接合が完了すると、ボイスコイルモータ６９により吸着ノズル１１がさらに下降させられることにより、吸着ノズル１１を介してバンプ３と配線（ランド）４とに作用させられる荷重Ｐを制御して、荷重がＰ２になると、本接合が完了する。
【０１００】
一方、図２７は、逆に、仮接合は荷重制御で行うとともに本接合は高さ制御で行う場合の高さと荷重と時間との関係を示すグラフである。すなわち、吸着ノズル１１を介してバンプ３と配線（ランド）４とに作用させられる荷重Ｐを制御して、荷重がＰ１になると、仮接合が完了する。仮接合が完了すると、ボイスコイルモータ６９により吸着ノズル１１がさらに下降させられることにより、高さがｈ２になると、本接合が完了する。
【０１０１】
また、図２８は、上記摩擦接合装置及び方法で、仮接合及び本接合を高さ制御で行う場合の高さと時間との関係を示すグラフである。すなわち、高さがｈ１になると、仮接合が完了する。仮接合が完了すると、ボイスコイルモータ６９により吸着ノズル１１がさらに下降させられ、高さｈ２になると、本接合が完了する。
【０１０２】
さらに、図２９は、上記摩擦接合装置及び方法で、仮接合及び本接合を荷重制御で行う場合の荷重と時間との関係を示すグラフである。すなわち、吸着ノズル１１を介してバンプ３と配線（ランド）４とに作用させられる荷重Ｐを制御して、荷重がＰ１になると、仮接合が完了する。仮接合が完了すると、ボイスコイルモータ６９により吸着ノズル１１がさらに下降させられることにより、荷重がＰ２になると、本接合が完了する。
【０１０３】
上記説明した種々の制御方法のうち、高さ制御は一般に複雑になる傾向が高いため、制御のし易さ、接合強度の良さ、及び、再現性の観点から、図２９の荷重制御が好ましい。しかしながら、本接合を高さ制御にて行うことが要求されて、高さ制御を行うこともある。それは、高さ制御を行なうことで、バンプ３の厚み管理、すなわち、バンプ３のつぶれ具合が制御でき、つぶれ過ぎによる回路ショートや樹脂封止材が金属接合部間に入り込まないなどの不具合を防止することができるためである。
【０１０４】
また、仮接合にも高さ制御を行なうと、バンプ３の形状変化をより正確に制御することができる。
【０１０５】
ここで、高さの検出は、例えば、ボイスコイルモータ６９に取り付けられて吸着ノズル１１の上下方向への移動における現在位置を計測して制御装置２４に検出値を出力するリニアセンサ１６０により検出する。このとき、図３０に示すように、ある程度荷重がかかるまで（全てのバンプ３が配線４に接触して全てのバンプ３の高さが揃うまでのことであり、具体的には例えば１００ｇｆ＝９８０ｍＮまで）加圧し、その後、その位置からリニアスケール１６０により下降量を計測して制御装置２４に検出値を出力しながら、予め決められた一定距離の移動を行なうのが好ましい。また、荷重の検出は、ボイスコイルモータ６９に取り付けられて吸着ノズル１１の下方向への移動により作用させる荷重を検出して制御装置２４に検出値を出力するロードセンサ１６１により検出する。
【０１０６】
ところで、仮接合と本接合との間において摩擦接合動作を軽減させる代わりに停止させるとき、停止時間は短いほうがよい。なぜならば、熱によるバンプの拡散を防止するため、及び、配線４、言いかえれば、基材２の金属電極部の酸化を防止するためである。具体的には、仮接合と本接合との間の停止時間は１０ｍｓくらいとするのが好ましい。
【０１０７】
また、図３５に示すように、特に、接合ヘッド６８が１個の場合、振動により、吸着ツール１１と半導体素子１とがスリップし始めると、いくら早くしてもスリップはなおらない。しかし、接合動作を軽減してある程度、緩い振動になると、係合する箇所（特に、休止すれば、ツール１１と半導体素子１の係合もしっかりとなるため、係合する箇所）がでてきて、振動が効率よく伝達されることになる。
【０１０８】
また、吸着ツール１１を上下動させ、また、半導体素子１を基材２に押し付け加圧するボイスコイルモータ６９は、図４（Ｂ）に摩擦接合における超音波出力Ｗ、加圧による荷重ｋｇ、超音波ホーン７１のインピーダンスの関係を示しているように、金属バンプ３が配線４に当接してから加圧していき、超音波出力Ｗ、荷重ｋｇなどが増大し、拡散接合が進行するにつれて金属バンプ３および配線４などの金属接合部同士が相対移動しにくくなり、ボイスコイルモータ６９の駆動時における超音波ホーン７１のインピーダンスが増大するので、このインピーダンスが所定の波形をなしたことによって、あるいは所定値まで上がったことによって、摩擦接合の適正な終了を判定することができるし、所定の波形が得られなかったり、所定値以上になったりすることによって摩擦接合の異常を判定することができる。
【０１０９】
ここで、インピーダンスの検出による判定は、一例として、以下のようにして行うようにしている。上記超音波振動をバンプ３へ作用させる期間中、相対移動装置の一例である発振器２３は圧電素子に対して一定の電流、電圧を供給しようとするが、配線４の加熱、及び上記超音波振動の作用による摩擦熱の発生によりバンプ３は徐々に上記配線４の電極部へ固着していくので、それにつれてバンプ３は徐々に振動しにくくなる。このようにバンプ３が振動しにくくなることは、圧電素子の振動を抑制することになり、その結果、発振器２３から圧電素子へ供給される電流値が徐々に低下していく。一方、圧電素子へ印加される電圧は理論上一定であることから、圧電素子におけるインピーダンス値は、オームの法則に従い、バンプ３が徐々に振動しにくくなるにつれて即ちバンプ３の配線４の電極部への接合が進むにつれて、徐々に上昇することになる。制御装置２４は、発振器２３から圧電素子へ供給される電流値の変化を検出することで、上記インピーダンス値の変化を求めて、該インピーダンス値の変化に基づきバンプ３と配線４の電極部との接合の良否を判定するようにしている。
【０１１０】
従って、これら超音波出力Ｗ、荷重ｋｇ、インピーダンスをモニタしながら、摩擦接合を種々な条件で実行することができる。
【０１１１】
そこで、軽減または休止前の初期摩擦接合の動作を、先に述べたように、半導体素子１および基材２同士の加圧を制御し、軽減または休止後の最終摩擦接合の動作は、半導体素子１および基材２同士の近接度すなわち距離、言いかえれば、高さ（例えば、基材２の表面からの高さ）を制御して行うと、初期摩擦接合での加圧が原因して接合対象物同士が、最終摩擦接合終了時の半導体素子１および基材２同士の距離近くないしはそれ以上に至るのを防止しながら、中途接合状態を満足しておき、最終摩擦接合では、十分な加圧のもとに各接合対象物同士の距離に所定の余裕があるのを利用して金属バンプ３および配線４同士が中途接合状態から十分な接合状態になるのを確保しながら、十分な接合状態への最終摩擦接合時に半導体素子１および基材２同士が所定よりも近接して金属バンプ３および配線４が過剰に潰れて必要な特性が不良となるのを防止することができる。
【０１１２】
さらに、初期摩擦接合の動作は、最終摩擦接合の動作の時間よりも短く行うようにすると、最終摩擦接合の動作を、初期摩擦接合の動作よりも長い十分な時間行って必要な最終接合状態を確保するのに、初期摩擦接合の動作での中途接合状態が原因して金属バンプ３および配線４が過剰に潰れて必要な特性が不良となるのを防止することができる。
【０１１３】
また、上記軽減または休止前の初期摩擦接合の動作は、先に述べたように、接合対象物同士の距離を制御し、軽減または休止後の最終摩擦接合の動作は、接合対象物同士の加圧を制御して行うと、初期摩擦接合での金属バンプ３および配線４同士の距離が、最終摩擦接合終了時の距離近くないしはそれ以上に至るのを防止しながら、中途接合状態を満足しておき、最終摩擦接合では、半導体素子１および基材２同士の距離に所定の余裕があるのを利用して半導体素子１および基材２同士が中途接合状態から十分な接合状態になるのを確保しながら、十分な最終接合状態への最終摩擦接合時に加圧が原因で半導体素子１および基材２同士が所定よりも近接して金属バンプ３および配線４が過剰に潰れて必要な特性が不良となり、あるいは半導体素子１および基材２などの接合対象物間に封止剤が入りにくくなったり、入らなくなったりするのを防止することができる。
【０１１４】
さらに、初期摩擦接合の動作を半導体素子１および基材２同士の距離を制御して行い、このときの制御データに基づき最終摩擦接合の動作での半導体素子１および基材２同士の距離を制御することにより、初期摩擦接合動作で半導体素子１および基材２同士を所定の範囲の距離にて中途接合状態を得ておき、この初期摩擦接合時での半導体素子１および基材２同士の距離の制御データに基づく所定の距離までの余裕に応じた最終摩擦接合の動作にて、半導体素子１および基材２同士の過剰な近接なしに十分な最終接合状態を確保することができる。
【０１１５】
上記のように超音波により摩擦接合するのに、初期摩擦接合の動作における加圧用のボイスコイルモータ６９の駆動時のインピーダンスをモニタし、これに応じて最終摩擦接合の動作を制御すると、初期摩擦接合での金属接合部である金属バンプ３および配線４同士の摩擦接合の過不足や限界に対応したインピーダンスの違いに基き、最終摩擦接合の動作を上記接合の過不足や限界に対応して弱めたり、強めたり、中止したりして、最終の摩擦接合状態を過不足なく達成できるようにしたり、最終摩擦接合動作を無駄に行うようなことを防止したりすることができる。
【０１１６】
このような制御を、図７（Ａ）の４個のバンプを有する半導体素子１および図７（Ｂ）の２０個のバンプを有する半導体素子１につき、図４（Ｃ）に示すような時間配分、荷重変化、超音波出力Ｗの配分を持って、初期摩擦接合、休止、最終接合を行い、図４（Ｂ）に示すような連続的に初期摩擦接合及び最終接合を行う従来の方法で行う場合とを比較すると、図８、図９に示すような結果となり、途中休止した摩擦接合は従来の連続して行う場合に比しシェア強度が向上している。すなわち、図８は、４個のバンプを有する半導体素子での本発明の第１実施形態にかかる摩擦接合で初期摩擦接合、休止、最終接合を行う場合と従来の連続的に初期摩擦接合及び最終接合を行う場合とで金属接合部のシェア強度を比較した実験結果のグラフである。図９は、２０個のバンプを有する半導体素子での本発明の第１実施形態にかかる摩擦接合で初期摩擦接合、休止、最終接合を行う場合と従来の連続的に初期摩擦接合及び最終接合を行う場合とで金属接合部のシェア強度を比較した実験結果のグラフである。図８及び図９では、共に、理解しやすくするため、本実施形態の場合と従来の場合とで同じ値をずらして示している。例えば、図８において、０．２４ｋｇの荷重を作用させるとき、左側は従来の場合、右側は本実施形態の場合のそれぞれシェア強度のバラツキを示している。従来の場合のシェア強度は、１１０ｇ程度から２６０ｇ程度まで広い範囲にわたってばらついているが、本実施形態の場合のシェア強度は、２４０ｇ程度から３３０ｇ程度までの従来よりも狭い範囲でばらつき、かつ、従来よりも高い平均値となっている。他の荷重０．２８ｋｇ、０．３２ｋｇでも同様な傾向がある。また、図９において、０．８*０．５の数値の意味は、０．８Ｗの超音波出力を０．５秒間印加するというエネルギーを意味している。１*０．３の数値の意味は、１Ｗの超音波出力を０．３秒間印加するというエネルギーを意味している。この図９でも、図８と同様に、本実施形態の場合のシェア強度は、従来よりも狭い範囲でばらつき、かつ、従来よりも高い平均値となっている。なお、図８の初期だけ（仮接合だけ）のときの初期荷重値は、０．２ｋｇであり、ＩＣの大きさは一辺が２ｍｍの正方形である。図９の初期だけ（仮接合だけ）のときの初期の超音波出力は０．２Ｗで時間は０．１秒であり、ＩＣの大きさは一辺が２ｍｍの正方形である。
【０１１７】
（第２実施形態）
図１０に示す本発明の第２実施形態では、位置決め部２６が２つ設けられ、搬入部５１および搬出部５２と、２つの接合ヘッド６８とに対し、移動機構９１により切り換え使用できるようにしている。これによると、２つの位置決め部２６で基材２を持った枠部２ｄなどの接合対象物の搬入、位置決め、搬出を異時に図りながら、接合物取り扱い装置２１によって取り扱われる１つの半導体素子１などの他の接合対象物との摩擦接合に交互に供することにより、基材２を持った枠部２ｄなどの１つの接合対象物の搬入、位置決め、搬出が、それ単独で、あるいは位置切り換え動作や挟持、挟持解除動作が複合するために、半導体素子１などの他の接合対象物の摩擦接合前後の取り扱い時間に比して長く掛かっても、接合物取り扱い装置２１によって取り扱われる半導体素子１などの１つの他の接合対象物との摩擦接合に繰り返し供する必要時間が半減するので、作業能率が向上する。
【０１１８】
また、一方の位置決め部２６だけを連続に使用するモードにおいて、その使用している位置決め部２６自体の故障や損傷、あるいはそれに保持している基材２を持った枠部２ｄなどの接合対象物に問題があるような場合に、それらの対応をしながら他方の位置決め部によって摩擦接合動作を通常通り継続することができるので、稼働率が低下するのを回避することができる。第２実施形態の他の構成および奏する作用効果は図１〜図６に示す第１実施形態の場合と特に変わるところはなく、重複する図示および説明は省略する。
【０１１９】
（第３実施形態）
本発明の第３実施形態にかかる摩擦接合方法を実施することができる摩擦接合装置として、図３１〜図３４に示すとともに図１１に一点鎖線２００で示すように、押さえ片６１ｂに貫通孔６１ｃ内に半導体素子１を接合すべき部分を露出させる代わりに、各基材２の自由端のみを押さえ片１６１ｂで図１１に一点鎖線２００で示すように押さえて、半導体素子１を接合すべき部分には何ら押さえる部材が無いようにして、吸着ツール１１との接触が防止できるようにしてもよい。押さえ片１６１ｂの貫通孔１６１ｃは読取り部２ｃを露出させるものであり、押さえ片１６１ｂが読取り部２ｃを押さえつけて損傷させないようにするためのものである。図３１〜図３４において、１４３は一対のレール２６ａ間に配置されて基材集合体２Ａの搬出搬入及び位置決め吸着保持を行う吸着支持板、１４３ａは吸着支持板１４３に基材集合体２Ａの各基材２の基部２ａ付近を吸着可能とする吸引孔、１４３ｄは貫通孔である。また、１４３Ｃは先の実施形態のバックアップ部４３に相当するバックアップ部１４３Ｂの上向きに突出した突出部であり、この突出部１４３Ｃが吸着支持板１４３の貫通孔１４３ｄ内に入り込んで各基材２の傾斜部２ｆの下面を支持するようにしている。１６１ｅは押さえ部材１６１の回動軸であり、押さえ部材１６１の各押さえ片１６１ｂは図３２に示すように大略Ｔ字状部材より構成され、一方の端部にバネ１６４Ａを備えて、常時、回動軸１６１ｅ回りに押さえ部材１６１のの他方の端部が突出部１４３Ｃに向けて接近するように付勢されて、上記基材２の傾斜部２ｆが挟持できるようにしている。よって、基材集合体２Ａは、吸着支持板１４３上を搬出搬入するとともに、ストッパ５３により搬出搬入位置に吸着支持板１４３上で位置決めされたのち、吸着支持板１４３上で吸引保持される。搬出搬入位置から接合位置への回動は先の実施形態と同様である。この第４実施形態によれば、予め基材集合体２Ａの各基材２の基部２ａ付近を吸着保持することにより、安定して、基材集合体２Ａを搬出搬入位置と接合位置との間で傾斜回動させることができる。なお、１６４Ｄは先の実施形態のエアシリンダ６４に相当し、１６４は先の実施形態のエアシリンダ６４により昇降駆動されて搬出搬入方向沿いに延びた補助板１６４Ｐを介して各押さえ片１６１ｂを一斉に挟持及び挟持解除させるピストンロッドに相当する。
【０１２０】
（第４実施形態）
本発明の第４実施形態にかかる摩擦接合方法を実施することができる摩擦接合装置として、図３５に示すように、接合ヘッド６８を図１のように２つではなく、１個のみ設けて、接合物反転機構１０１によりピックアップされた半導体素子１をピックアップ位置で接合ヘッド６８の吸着ツール１１に吸着保持し、基材２まで移動したのち、初期摩擦接合および最終摩擦接合を行うようにしてもよい。先の実施形態と比較して、この実施形態では、接合ヘッド６８が１つになるため、構造を簡単化することができる。
【０１２１】
なお、上記様々な実施形態のうちの任意の実施形態を適宜組み合わせることにより、それぞれの有する効果を奏するようにすることができる。
【０１２２】
本発明によれば、上記の説明で明らかなように、接合対象物同士を加圧および相対移動させて、互いの金属接合部同士を摩擦させると、金属接合部同士は摩擦によって昇温し、軟化、溶融、拡散接合を伴い摩擦接合するが、摩擦接合動作を途中で一時軽減または休止するようにしている。この結果、金属接合部同士、接合対象物同士は、一気に金属接合されてしまう場合のような機械的、熱的影響が低減してダメージを受けにくくなり、接合対象物の一例として、薄い板ばねよりなる磁気ディスク読取り用のサスペンションヘッドであっても変形しにくく歩留まりが高くなる。しかも、摩擦接合動作が途中軽減されたり、休止されたりすることによりかえって金属接合のシェア強度が増し、摩擦接合が問題なく確実に達成される。よって、接合対象物にダメージなく過不足ない金属接合を行うことができる。
【０１２３】
この場合、接合対象物の一方を保持ツール例えば吸着ツールにより吸着保持すると持ち運びしやすく、種々に取り扱いやすいので、この保持した一方の接合対象物を他方の接合対象物に対し、互いの金属接合部同士を対向させて、加圧および相対移動させることができ、他方の接合対象物は接合用に位置決め保持されるだけでよくなるなどその取り扱いが簡略化する。
【０１２４】
また、上記の相対移動は、一例として、一方の接合対象物を超音波振動させるだけでよくなり、上記吸着ツールを通じそれが保持している接合対象物に与えれば足り、簡単かつ容易に実現する。特に超音波振動によると、相対移動が微小で高速な振動状態で得られ、微小な金属接合部同士でも過剰な潰れなしに短時間で十分に摩擦接合することができる。
【０１２５】
保持ツールの一例として吸着ツールにより一方の接合対象物を吸着保持する場合には、吸着ノズルの吸着面に形成した一方の接合対象物の外形と相似でかつ上記外形より小さい凹部の少なくとも相対向する一対のテーパ面にて接合対象物を受け止めて吸着し保持するようにする場合には、一方の接合対象物が吸着ツールの吸着面で吸着されるとき、吸着面にある一方の接合対象物と相似でかつ上記外形より小さい凹部の少なくとも相対向する一対のテーパ面に受け止められて、吸着ツールによりあるいはこれを通じて与えられる、他方の接合対象物との相対移動のための移動や超音波振動を逃げや位置ずれなく伝達され、摩擦接合を効率よく達成することができる。また、吸着ツールにより吸着される一方の接合対象物の背面が吸着面から浮いて位置ずれすることがないため擦れ合うことはなく、従来のように接合対象物の背面が吸着面との擦れ合いにより傷が付き、また、接合対象物の背面に傷が付くときに出る欠けらや異物が吸着面に付着堆積してこれがかえって吸着保持する接合対象物の背面に傷を付け、また、欠けや割れが生じる原因になるようなことを回避することができ、歩留まりの向上と、背面の傷付きによる品質低下防止とを図ることができる。
【０１２６】
上記摩擦接合動作の休止又は軽減は、例えば、金属接合部間の相対移動を休止又は軽減しても、あるいは、金属接合部間の加圧を休止又は軽減しても行うことができる。加圧の休止は、吸着ツールをそれが吸着保持した接合対象物から離して行うと、加圧の影響を皆無にすることができる。しかし、場合によっては加圧の進行を止めるだけでも休止状態は得られる。
【０１２７】
また、摩擦接合動作の軽減は、例えば、接合対象物同士の相対移動、および金属接合部間の加圧、の双方を軽減しても行える。
【０１２８】
摩擦接合動作の休止は、例えば、接合対象物同士の相対移動、および金属接合部間の加圧、の双方を休止して行うこともできる。
【０１２９】
また、例えば、軽減または休止前の初期摩擦接合の動作は、接合対象物同士の距離を制御し、軽減または休止後の最終摩擦接合の動作は、接合対象物同士の加圧を制御して行うと、初期摩擦接合での接合対象物同士の近接度すなわち距離が、最終摩擦接合終了時の接合対象物同士の距離近くないしはそれ以上に至るのを防止しながら、中途接合状態を満足しておき、最終摩擦接合では、各接合対象物同士の距離に予め決められた範囲の余裕があるのを利用して金属接合部同士が中途接合状態から十分な接合状態になるのを確保しながら、十分な最終接合状態への最終摩擦接合時に加圧が原因で接合対象物同士が予め決められた範囲よりも近接して金属接合部が過剰に潰れて必要な特性が不良となるのを防止することができる。
【０１３０】
また、例えば、軽減または休止前の初期摩擦接合の動作は、接合対象物同士の加圧制御し、軽減または休止後の最終摩擦接合の動作は、接合対象物同士の距離を制御して行うと、初期摩擦接合での加圧が原因して接合対象物同士が、最終摩擦接合終了時の接合対象物同士の距離近くないしはそれ以上に至るのを防止しながら、中途接合状態を満足しておき、最終摩擦接合では、十分な加圧のもとに各接合対象物同士の距離に予め決められた範囲の余裕があるのを利用して金属接合部同士が中途接合状態から十分な接合状態になるのを確保しながら、十分な接合状態への最終摩擦接合時に接合対象物同士が予め決められた範囲よりも近接して金属接合部が過剰に潰れて必要な特性が不良となるのを防止することができる。
【０１３１】
また、例えば、軽減または休止前の初期摩擦接合の動作は、軽減または休止後の最終摩擦接合の動作の時間よりも短く行うようにすると、最終摩擦接合の動作を、初期摩擦接合の動作よりも長い十分な時間行って必要な最終接合状態を確保するのに、初期摩擦接合の動作での中途接合状態が原因して金属接合が過剰に潰れて必要な特性が不良となるのを防止することができる。
【０１３２】
また、例えば、軽減または休止前の初期摩擦接合の動作を接合対象物同士の距離を制御して行い、このときの制御データに基づき軽減または休止後の最終摩擦接合の動作での接合対象物同士の距離を制御することにより、初期摩擦接合動作で接合対象物同士を予め決められた範囲の距離にて中途接合状態を得ておき、この初期摩擦接合時での接合対象物同士の距離の制御データに基づいて予め決められた範囲の距離までの余裕に応じた最終摩擦接合の動作にて、接合対象物同士の過剰な近接なしに十分な最終接合状態を確保することができる。
【０１３３】
また、例えば、超音波により摩擦接合するのに、軽減または休止前の初期摩擦接合の動作において上記保持ツールに取り付けられた発振器に連結された超音波ホーンのインピーダンスをモニタし、これに応じて軽減または休止後の最終摩擦接合の動作を制御する場合には、上記インピーダンスには摩擦接合の進行度合や限界などが反映していて、初期摩擦接合での金属接合部同士の摩擦接合の過不足や限界に対応したインピーダンスの違いに基き、最終摩擦接合の動作を上記接合の過不足や限界に対応して弱めたり、強めたり、中止したりして、最終の摩擦接合状態を過不足なく達成できるようにしたり、最終摩擦接合動作を無駄に行うようなことを防止したりすることができる。
【０１３４】
また、摩擦接合装置は、２つの接合対象物をそれぞれ保持して互いの金属接合部が対向し合うように位置決めする２つの接合物取り扱い装置と、上記２つの接合物取り扱い装置をそれが保持している各接合対象物を相対移動させることにより、上記２つの接合対象物の上記対向し合う金属接合部同士を摩擦接触させる相対移動装置と、各接合物取り扱い装置による接合対象物の保持および位置決めと、相対移動装置による各接合物取り扱い装置の相対移動を制御して、各接合物取り扱い装置が保持した上記接合対象物の上記金属接合部同士を対向させるとともに、上記相対移動により摩擦接触させて金属接合する制御装置とを備え、上記制御装置は、上記摩擦接合動作を途中で一時軽減または休止させるようにすれば、上記のような途中で軽減または休止する摩擦接合を自動的に確実に遂行することができる。
【０１３５】
また、上記相対移動装置は、例えば、上記のように各接合物取り扱い装置の一方を移動させて他方に対し相対移動させれば足り、相対移動装置による各接合物取り扱い装置の一方の移動を超音波振動とするのが上記のように好適である。
【０１３６】
また、上記相対移動のための移動を行わない側の接合物取り扱い装置は、例えば、接合対象物を受け入れてこれを保持し位置決めして摩擦接合に供し、摩擦接合後搬出を図る位置決め部を有している場合には、他の接合対象物との摩擦接合箇所を複数有している接合対象物を１回位置決めすれば、上記他の接合対象物をそれに対応する接合物取り扱い装置で繰り返し取り扱って、上記位置決めされた接合対象物の各摩擦接合位置に共通した位置基準のまま摩擦接合すれば足り、他の接合対象物との摩擦接合箇所が複数ある接合対象物の取り扱い、およびこれを取り扱う接合物取り扱い装置の構造が簡単になる。
【０１３７】
以上の摩擦接合装置においては、例えば、上記２つの接合物取り扱い装置のうちの一方の接合物取り扱い装置により、上記２つの接合対象物のうちの一方の接合対象物が取り扱われ、上記一方の接合対象物は、枠部と、この枠部から枠部内に延びて上記枠部に対し傾斜した傾斜部に上記金属接合部を持った接合対象物であり、上記一方の接合物取り扱い装置は、上記一方の接合対象物の上記枠部を位置決め保持する位置決め部を有し、上記位置決め部は、上記一方の接合対象物の上記枠部をその搬送面沿いに保持案内して上記一方の接合対象物の搬入および搬出を図る搬出搬入位置と、上記枠部を保持し位置決めした上記一方の接合対象物の上記傾斜部が上記搬送面沿いとなるように傾き、上記傾斜部に有する上記金属接合部を金属接合に供する接合位置とに移動でき、上記一方の接合物取り扱い装置は、さらに、上記位置決め部を上記搬出搬入位置と上記接合位置とに移動させるように切り換える位置切り換え装置と、上記位置決め部が上記接合位置に切り換えられたとき上記位置決め部が位置決めしている上記一方の接合対象物の上記傾斜部を下方から支持するようにバックアップするバックアップ部とを備え、上記制御装置は、上記一方の接合対象物の搬入、搬出、位置決め、接合の動作に応じて、上記位置切り換え装置を制御して上記位置決め部を上記搬出搬入位置と上記接合位置とに切り換えるようにすることもできる。
【０１３８】
このような構成では、他の接合対象物との摩擦接合箇所を持った接合対象物を接合物取り扱い装置により取り扱い摩擦接合するため、その接合対象物が、例えば、微小、異形、薄い振動物などのために取り扱いにくいものを、平坦な枠部内に一体に形成してその全体を大きな枠部で一括に取り扱い、複数の接合対象物との摩擦接合に順次供するのに、位置決め部は接合対象物の枠部を保持案内することができて、搬送面沿いの搬出搬入位置のまま回路基板などの一般の板状物を取り扱う場合と同様に、搬入、搬出、位置決めを図りながら、位置決め状態で制御装置および位置切り換え装置により所定の傾斜位置に移動されることにより位置決めしている接合対象物の枠部に対し傾斜している傾斜部を搬送面沿いの姿勢にして、バックアップ部によりバックアップされるように位置決めし直し、他の接合対象物とのそれを取り扱う接合物取り扱い装置による摩擦接合に必要回数供することが搬送面沿いに位置決めされた一般の板状物に対する場合同様に難なく行うことができ、傾斜部やそれを有する部材が振動や変形のしやすいばね片であるような場合でも、それに変形や損傷などのダメージを与えることなく十分な摩擦接合が確実に行える。位置決め部は摩擦接合が終了したとき制御装置および位置切り換え装置により搬送面沿いの搬出搬入位置に戻されることにより、複数箇所に他の接合対象物の摩擦接合を終えた接合対象物の搬出と新たな接合対象物の搬入を図ることができる。
【０１３９】
この場合、位置決め部と、これの両側に位置して位置決め部との間で接合対象物の搬入及び搬出を図る搬入部、搬出部とが、それぞれ連続するように並んで接合対象物の枠部を一方向に搬送できるように保持し案内する一対のガイドレールを備えていると、位置決め部において摩擦接合後の接合対象物の搬出、および新たな接合対象物の搬入を、搬出部および搬入部を通じた直線方向の搬送にて簡易に達成することができる。
【０１４０】
また、位置決め部のガイドレールの一方に他方のガイドレール側に向けて進出して位置決め部に受け入れ位置決めした接合対象物の枠部を他方の側との間でクランプし、また後退してクランプを解除するストッパを備え、制御装置は位置決め部に接合対象物を受け入れ位置決めした都度ストッパを進出させ、接合動作が終了する都度ストッパを後退させるようにすると、位置決め部に搬入し所定位置としたとき制御装置およびストッパによりその位置決め位置にクランプすることにより不動にして、他の接合対象物が相対移動のために移動されたり振動されたりすることによる位置ずれを防止し、より高い位置精度での摩擦接合ができる。
【０１４１】
接合対象物の傾斜部が枠部内に延びるばね片の先端部に形成されていても、この各ばね片に有する傾斜部をバックアップ部との間で挟持したり挟持を解除したりできるように位置決め部の一方のガイドレールに支持された押さえ部材と、この押さえ部材をガイドレールとの間で挟持位置と挟持解除位置とに切り換える切り換え装置とを備え、制御装置は位置決め部に接合対象物を受け入れて位置決めした都度押さえ部材を挟持位置とし、接合動作が終了する都度挟持解除位置とするようにすれば、位置決め部が接合対象物の傾斜部を基材搬送面沿いにしてバックアップ部でバックアップされるようにして摩擦接合に供するのに、制御装置および位置切り換え装置により挟持部材を挟持位置とすることで、傾斜部をバックアップ部との間で挟持されるようにして、ばね片の先端部にある傾斜部が摩擦接合時に振動や位置ずれしたり変形したりするのを防止することができ、ばね片にダメージを与えないで十分な摩擦接合を確保することができ、摩擦接合後に挟持解除位置としておくことで摩擦接合後の接合対象物の位置決め部からの搬出、新たな接合対象物の搬入を図るのを邪魔することはない。
【０１４２】
押さえ部材が複数ある各ばね片に対応して独立した押さえ片が被さって挟持し、また挟持解除を行い、各押さえ片に各ばね片の傾斜部の金属接合部を露出させて摩擦接合に供する透過窓を設けてあると、複数ある各ばね片をそれらに対応する独立した各押さえ片により個別に挟持することで、ばね片および押さえ片ごとに位置や形状などに違いがあっても、互いの影響や無理なしに挟持し、しかも各押さえ片に有する透過窓を通じ押さえ片による邪魔なく上記高い位置精度での摩擦接合が行われることを保証することができる。
【０１４３】
相対移動のための移動を行う側の接合物取り扱い装置が、供給される接合対象物を吸着保持してピックアップして持ち運び、相対移動のための移動を行わない接合物取り扱い装置が保持している接合対象物と互いの金属接合部を対向させて摩擦接触させ、摩擦接合させる吸着ツールと、この吸着ツールの移動装置を有していると、他の接合対象物との摩擦接合個所が１箇所しかないなどで、他の接合対象物に比し小さく軽量な接合対象物を保持して相対移動のための移動や振動を与え、他の接合対象物との間の対向し合う金属接合部間で摩擦接合を行うのに、無理なく高速で行える利点がある。
【０１４４】
相対移動のための移動を行う側の接合物取り扱い装置が２つ設けられていると、摩擦接合の軽減または休止を挟んだ初期摩擦接合と最終摩擦接合とにそれぞれの用途に応じた仕様を設定して使い分けることにより、初期摩擦接合および最終摩擦接合の条件の違う２種類の摩擦接合を複雑で微妙な制御をすることなく安定して達成しながら、初期摩擦接合および最終摩擦接合で使用する接合物取り扱い装置の切り換えで初期摩擦接合と最終摩擦接合との間の摩擦接合の休止条件を満足するようにできる。また、一方の接合物取り扱い装置自体の故障や損傷、耐用限度、あるいはそれに保持している接合対象物に問題があるような場合に、それらの対応をしながら他方の接合物取り扱い装置によって摩擦接合動作を通常通り継続することができるので、稼働率が低下するのを回避することができる。
【０１４５】
位置決め部が２つ設けられていると、２つの位置決め部で接合対象物の搬入、位置決め、搬出を異時に図りながら、１つの接合物取り扱い装置によって取り扱われる他の接合対象物との摩擦接合に交互に供することにより、１つの接合対象物の搬入、位置決め、搬出が、それ単独で、あるいは位置切り換え動作や挟持、挟持解除動作が複合するために、他の接合対象物の摩擦接合前後の取り扱い時間に比して長く掛かっても、１つの接合物取り扱い装置によって取り扱われる他の接合対象物との摩擦接合に繰り返し供する必要時間が半減するので、作業能率が向上する。また、一方の位置決め部自体の故障や損傷、あるいはそれに保持している接合対象物に問題があるような場合に、それらの対応をしながら他方の位置決め部によって摩擦接合動作を通常通り継続することができるので、稼働率が低下するのを回避することができる。
【０１４６】
本発明の摩擦接合装置は、上記各場合の摩擦接合装置と、一対の接合対象物の少なくとも一方を、それを取り扱う接合物取り扱い装置に供給する供給装置とを備えるようにしている。
【０１４７】
このような構成では、上記摩擦接合動作を、多数を個別に取り扱う側の接合対象物を少なくとも供給装置から必要の都度自動供給しながら、手操作で供給され、あるいは供給装置から必要の都度自動供給される他の異なった接合対象物とのあいだで、順次に繰り返し行うことができ、接合対象物同士を１対１対応、あるいは１対複数対応で摩擦接合して一方を他方に装着し種々な二次製品や最終製品を生産することが自動的に、容易かつ確実に高速で達成することができる。
【０１４８】
本発明の上記した各特徴は、可能な限りそれ単独で、あるいは種々な組み合わせで複合して用いることができる。
【０１４９】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図面の簡単な説明】
本発明のこれらと他の目的と特徴は、添付された図面についての好ましい実施形態に関連した次の記述から明らかになる。
【図１】  本発明の第１実施形態に係る摩擦接合装置の全体構成図である。
【図２】  （Ａ）は、図１の摩擦接合装置の半導体素子を対象とした接合対象物取り扱い装置の動作状態の全体の動きを示す斜視図であり、（Ｂ）は、（Ａ）の接合対象物取り扱い装置の吸着ツールにより半導体素子を吸着保持した状態を示す断面図であり、（Ｃ）は、（Ａ）の接合対象物取り扱い装置の保持ツールの一例としての吸着ツールの吸着面を下方から見た斜視図である。
【図３】  （Ａ）は、図１の摩擦接合装置の保持ツールの変形例である最終摩擦接合専用ツールを示す一部の斜視図であり、（Ｂ）は、（Ａ）の最終摩擦接合専用ツールの側面図であり、（Ｃ）は、反転用の吸着ツールの断面図である。
【図４】  （Ａ）は、図２（Ａ）の接合物取り扱い装置の接合ヘッドとそれによる摩擦接合動作状態の接合ヘッドの斜視図であり、（Ｂ）は、従来から行われる一般の摩擦接合動作状態を示すグラフであり、（Ｃ）は、本発明の第１実施形態の摩擦接合装置での摩擦接合動作状態の一例を示すグラフである。
【図５】  （Ａ）は、図１の摩擦接合装置の基材を対象とした接合対象物取り扱い装置の位置決め部を示す断面図であり、（Ｂ）は、（Ａ）の位置決め部の押さえ部材の押さえ片の部分拡大斜視図である。
【図６】  図５（Ａ）の位置決め部の斜視図である。
【図７】  （Ａ）は、半導体素子の具体例において金属バンプを４つ持った４バンプの半導体素子を示す平面図であり、（Ｂ）は、金属バンプを２０個持った２０バンプの半導体素子を示す平面図である。
【図８】  ４バンプ半導体素子での本発明の第１実施形態にかかる摩擦接合の場合と従来の場合とで金属接合部のシェア強度を比較した実験結果のグラフである。
【図９】  ２０バンプ半導体素子での本発明の第１実施形態にかかる摩擦接合の場合と従来の場合とで金属接合部のシェア強度を比較した実験結果のグラフである。
【図１０】  図１の摩擦接合装置とは第２実施形態の摩擦接合装置を示す斜視図である。
【図１１】  上記第１実施形態において一対の接合対象物である半導体素子および基材の接合位置関係を示す斜視図である。
【図１２】  上記第１実施形態において図１１の基材とこれを複数持ち一括に取り扱えるようにする枠部との関係例を示す基材集合体の斜視図である。
【図１３】  半導体素子を基材に本発明の第１実施形態にかかる摩擦接合方法および装置により摩擦接合したサスペンションヘッドによる磁気ディスクの読取り状態を示す断面図である。
【図１４】  図１３の斜視図である。
【図１５】  半導体素子を基材に摩擦接合した従来のサスペンションヘッドによる磁気ディスクの読取り状態を示す断面図である。
【図１６】  図５（Ａ）の位置決め部の詳細な平面図である。
【図１７】  図５（Ａ）の位置決め部の詳細な左側面図である。
【図１８】  図５（Ａ）の位置決め部の詳細な右側面図である。
【図１９】  図５（Ａ）の位置決め部の接合位置での部分拡大詳細図である。
【図２０】  図５（Ａ）の位置決め部の搬出搬入位置での部分拡大詳細図であり、仮想的に押さえ部材での挟持位置を二点鎖線で示している。
【図２１】  図５（Ａ）の位置決め部の部分拡大詳細図であり、仮想的に押さえ部材での挟持位置を実線で示している。
【図２２】  上記第１実施形態にかかる摩擦接合装置及び方法で加圧が一定で超音波出力を軽減させる場合の荷重と超音波出力と時間との関係を示すグラフである。
【図２３】  上記第１実施形態にかかる摩擦接合装置及び方法で加圧が一定で超音波出力を停止させる場合の荷重と超音波出力と時間との関係を示すグラフである。
【図２４】  上記第１実施形態にかかる摩擦接合装置及び方法で加圧が増加で超音波出力を軽減させる場合の荷重と超音波出力と時間との関係を示すグラフである。
【図２５】  上記第１実施形態にかかる摩擦接合装置及び方法で加圧が増加で超音波出力を停止させる場合の荷重と超音波出力と時間との関係を示すグラフである。
【図２６】  上記第１実施形態にかかる摩擦接合装置及び方法で仮接合は高さ制御で行うとともに本接合は荷重制御で行う場合の高さと荷重と時間との関係を示すグラフである。
【図２７】  上記第１実施形態にかかる摩擦接合装置及び方法で仮接合は荷重制御で行うとともに本接合は高さ制御で行う場合の高さと荷重と時間との関係を示すグラフである。
【図２８】  上記第１実施形態にかかる摩擦接合装置及び方法で仮接合及び本接合を高さ制御で行う場合の高さと時間との関係を示すグラフである。
【図２９】  上記第１実施形態にかかる摩擦接合装置及び方法で仮接合及び本接合を荷重制御で行う場合の荷重と時間との関係を示すグラフである。
【図３０】  接合において高さ制御する場合を説明するための荷重と時間との関係を示すグラフである。
【図３１】  本発明の第３実施形態の摩擦接合装置の位置決め部の詳細な平面図である。
【図３２】  図３１の摩擦接合装置の位置決め部において接合対象物が搬出搬入位置に位置している状態での詳細な右側面図である。
【図３３】  図３１の摩擦接合装置の位置決め部において接合対象物が搬出搬入位置から接合位置に位置して傾斜しているが押さえ片で挟持はされていない状態での詳細な右側面図である。
【図３４】  図３１の摩擦接合装置の位置決め部において接合対象物が搬出搬入位置から接合位置に位置して傾斜しかつ押さえ片で挟持されている状態での詳細な右側面図である。
【図３５】  接合ヘッドが１つの場合の本発明の第４実施形態の摩擦接合装置の斜視図である。
【図３６】  本発明の第１実施形態の摩擦接合装置の制御装置のブロック図である。
【図１】
0004268360.tif 000002
【図２】
0004268360.tif 000003
【図３】
0004268360.tif 000004
【図４】
0004268360.tif 000005
【図５】
0004268360.tif 000006
【図６】
0004268360.tif 000007
【図７】
0004268360.tif 000008
【図８】
0004268360.tif 000009
【図９】
0004268360.tif 000010
【図１０】
0004268360.tif 000011
【図１１】
0004268360.tif 000012
【図１２】
0004268360.tif 000013
【図１３】
0004268360.tif 000014
【図１４】
0004268360.tif 000015
【図１５】
0004268360.tif 000016
【図１６】
0004268360.tif 000017
【図１７】
0004268360.tif 000018
【図１８】
0004268360.tif 000019
【図１９】
0004268360.tif 000020
【図２０】
0004268360.tif 000021
【図２１】
0004268360.tif 000022
【図２２】
0004268360.tif 000023
【図２３】
0004268360.tif 000024
【図２４】
0004268360.tif 000025
【図２５】
0004268360.tif 000026
【図２６】
0004268360.tif 000027
【図２７】
0004268360.tif 000028
【図２８】
0004268360.tif 000029
【図２９】
0004268360.tif 000030
【図３０】
0004268360.tif 000031
【図３１】
0004268360.tif 000032
【図３２】
0004268360.tif 000033
【図３３】
0004268360.tif 000034
【図３４】
0004268360.tif 000035
【図３５】
0004268360.tif 000036
【図３６】
0004268360.tif 000037